(57)【要約】  開示されるのは、帯域調整方法および帯域調整コントローラである。本発明は通信分野に関する。前記調整方法では、第1ネットワークシステムのチャネルの帯域更新値、および第2ネットワークシステムのチャネルの帯域更新値、および保護帯域の帯域更新値を、ユーザまたはチャネル状態の要求に応じて導出して、前記第1ネットワークシステムおよび前記第2ネットワークシステムの前記チャネルの更新帯域が、前記ユーザの前記要求を満たすようにする、あるいはチャネル状態の要求に適合するようにする。これらの技術的方法を使用することにより、複数のネットワークシステムが、1つのネットワークリソースを共有する場合に、ネットワークリソースを複数のネットワークシステムの間で調整することができるので、帯域リソースの利用効率を向上させ易くなり、かつこれらのネットワークシステムの干渉防止機能を確保することができる。
2016524851.tif 000002
【特許請求の範囲】
【請求項１】
第1ネットワークシステムのチャネルの帯域、およびガード帯域に隣接する第2ネットワークシステムのチャネルの帯域を、ユーザ要求またはチャネル状態に基づいて調整するステップ、ならびに前記第1ネットワークシステムの前記チャネルの帯域更新値、前記第2ネットワークシステムの前記チャネルの帯域更新値、および前記ガード帯域の帯域更新値を導出するステップであって、前記第1ネットワークシステムの前記チャネルの更新帯域、および前記第2ネットワークシステムの前記チャネルの更新帯域が、前記ユーザ要求または前記チャネル状態の要求を満たす、調整し、導出するステップと、
前記第1ネットワークシステムの前記チャネルの前記帯域更新値を前記第1ネットワークシステムに送信し、前記第2ネットワークシステムの前記チャネルの前記帯域更新値を前記第2ネットワークシステムに送信するステップであって、
前記第1ネットワークシステムは、前記第1ネットワークシステムの前記チャネルの前記帯域を、前記第1ネットワークシステムの前記チャネルの前記帯域更新値に基づいて調整し、前記第2ネットワークシステムは、前記第2ネットワークシステムの前記チャネルの前記帯域を、前記第2ネットワークシステムの前記チャネルの前記帯域更新値に基づいて調整する、送信するステップと
を備える、帯域調整方法。
【請求項２】
前記ガード帯域の前記帯域更新値は、次の関係式
【数１】
2016524851.tif 000124
をさらに満たし、式中、
【数２】
2016524851.tif 000125
は、前記ガード帯域の前記帯域更新値であり、
【数３】
2016524851.tif 000126
は、前記第1ネットワークシステムの前記チャネルの前記帯域更新値であり、
【数４】
2016524851.tif 000127
は、前記第2ネットワークシステムの前記チャネルの前記帯域更新値であり、
【数５】
2016524851.tif 000128
は、
【数６】
2016524851.tif 000129
および
【数７】
2016524851.tif 000130
のうちのいずれか一方の増加とともに増加する関数である、請求項1に記載の帯域調整方法。
【請求項３】
前記第1ネットワークシステムの前記チャネルの前記帯域更新値、および前記第2ネットワークシステムの前記チャネルの前記帯域更新値は、次の条件式
【数８】
2016524851.tif 000131
および
【数９】
2016524851.tif 000132
を満たし、式中、
【数１０】
2016524851.tif 000133
は、前記第1ネットワークシステムの前記チャネルの1帯域幅単位であり、
【数１１】
2016524851.tif 000134
は、前記第1ネットワークシステムの前記チャネルの初期帯域であり、nおよびn’はそれぞれ自然数であり、
【数１２】
2016524851.tif 000135
は、前記第1ネットワークシステムの前記チャネルの第1側の部分帯域調整幅であり、前記第1側は、前記第2ネットワークシステムに近い方の前記第1ネットワークシステムの側であり、
【数１３】
2016524851.tif 000136
は、前記第1ネットワークシステムの前記チャネルの第2側の部分帯域調整幅であり、前記第2側は、前記第1側の反対側の前記第1ネットワークシステムの側であり、
【数１４】
2016524851.tif 000137
は、前記第2ネットワークシステムの前記チャネルの1帯域幅単位であり、
【数１５】
2016524851.tif 000138
は、前記第2ネットワークシステムの前記チャネルの初期帯域であり、kおよびk’はそれぞれ自然数であり、
【数１６】
2016524851.tif 000139
は、前記第2ネットワークシステムの前記チャネルの帯域調整幅である、請求項1または2に記載の帯域調整方法。
【請求項４】
【数１７】
2016524851.tif 000140
をゼロに設定する、請求項3に記載の帯域調整方法。
【請求項５】
【数１８】
2016524851.tif 000141
はさらに、
【数１９】
2016524851.tif 000142
および
【数２０】
2016524851.tif 000143
の減少とともに減少する関数である、請求項1または2に記載の帯域調整方法。
【請求項６】
第1ネットワークシステムのチャネルの帯域、およびガード帯域に隣接する第2ネットワークシステムのチャネルの帯域を、ユーザ要求またはチャネル状態に基づいて調整する前記ステップは、
前記第1ネットワークシステムの前記チャネルの前記帯域、および前記ガード帯域に隣接する前記第2ネットワークシステムの前記チャネルの前記帯域を、前記第1ネットワークシステムのユーザ帯域変更要求、または前記第2ネットワークシステムのユーザ帯域変更要求、または前記第1ネットワークシステムおよび前記第2ネットワークシステムのユーザ帯域変更要求に基づいて調整するステップ、あるいは、
前記第1ネットワークシステムの前記チャネルの前記帯域、および前記ガード帯域に隣接する前記第2ネットワークシステムの前記チャネルの前記帯域を、前記第1ネットワークシステムの前記チャネルのビジー率、または前記第2ネットワークシステムの前記チャネルのビジー率、または前記第1ネットワークシステムおよび前記第2ネットワークシステムの前記チャネルのビジー率に基づいて調整するステップ、あるいは、
前記第1ネットワークシステムの前記チャネルの前記帯域、および前記ガード帯域に隣接する前記第2ネットワークシステムの前記チャネルの前記帯域を、以下の
前記第1ネットワークシステムのユーザ帯域変更要求、もしくは前記第2ネットワークシステムのユーザ帯域変更要求、もしくは前記第1ネットワークシステムおよび前記第2ネットワークシステムのユーザ帯域変更要求、ならびに、
前記第1ネットワークシステムの前記チャネルのビジー率、もしくは前記第2ネットワークシステムの前記チャネルのビジー率、もしくは前記第1ネットワークシステムおよび前記第2ネットワークシステムの前記チャネルのビジー率
に基づいて調整するステップを備える、請求項2または2に記載の帯域調整方法。
【請求項７】
前記第1ネットワークシステムの前記チャネルの前記ビジー率、前記第2ネットワークシステムの前記チャネルの前記ビジー率は、前記第1ネットワークシステムのユーザ、および／または前記第2ネットワークシステムのユーザによって、検出され、報告されるか、あるいは、コントローラで検出され、前記コントローラは、前記第1ネットワークシステムの帯域調整、および前記第2ネットワークシステムの帯域調整を制御するように構成される、請求項6に記載の帯域調整方法。
【請求項８】
前記第1ネットワークシステムの前記チャネルの前記ビジー率が、所定のビジー率上限に等しいか、または所定のビジー率上限を超える場合、
第1ネットワークシステムのチャネルの帯域、およびガード帯域に隣接する第2ネットワークシステムのチャネルの帯域を、ユーザ要求またはチャネル状態に基づいて調整する前記ステップは、
共通周波数範囲の中の空き周波数帯域を、前記第1ネットワークシステムのチャネルとして、調整対象の第1ネットワークシステムのチャネルに替えて設定するステップと、
【数２１】
2016524851.tif 000144
をゼロに設定するステップと、
前記第1ネットワークシステムの前記チャネルの前記帯域、および前記ガード帯域に隣接する前記第2ネットワークシステムの前記チャネルの前記帯域を、前記ユーザ要求または前記チャネル状態に基づいて調整するステップと
を備える、請求項6に記載の帯域調整方法。
【請求項９】
調整対象の前記第1ネットワークシステムの前記チャネルの干渉源を決定するステップ、
前記干渉源が前記第2ネットワークシステムに由来する場合、調整対象の前記第1ネットワークシステムの前記チャネルを、前記第2ネットワークシステムのチャネルとして設定するステップ、または
前記干渉源が前記第2ネットワークシステムに由来しない場合、調整対象の前記第1ネットワークシステムの前記チャネルを、前記ガード帯域として設定するステップをさらに備える、請求項8に記載の帯域調整方法。
【請求項１０】
前記第1ネットワークシステムの前記チャネルは、連続する拡張チャネルであるか、またはいずれか2つの隣接するチャネル周波数範囲の間にガード区間を有する複数のチャネル周波数範囲である、請求項1または2に記載の帯域調整方法。
【請求項１１】
前記第2ネットワークシステムの前記チャネルは、連続する拡張チャネルであるか、またはいずれか2つの隣接するチャネル周波数範囲の間にガード区間を有する複数のチャネル周波数範囲である、請求項1または2に記載の帯域調整方法。
【請求項１２】
第1ネットワークシステムのチャネルの帯域、およびガード帯域に隣接する第2ネットワークシステムのチャネルの帯域を、ユーザ要求またはチャネル状態に基づいて調整し、前記第1ネットワークシステムの前記チャネルの帯域更新値、前記第2ネットワークシステムの前記チャネルの帯域更新値、および前記ガード帯域の帯域更新値を導出し、前記第1ネットワークシステムの前記チャネルの前記帯域更新値を前記第1ネットワークシステムにネットワークインターフェースを介して送信し、前記第2ネットワークシステムの前記チャネルの前記帯域更新値を前記第2ネットワークシステムに前記ネットワークインターフェースを介して送信する、帯域調整ユニットを備える、帯域調整コントローラであって、
前記第1ネットワークシステムは、前記第1ネットワークシステムの前記チャネルの前記帯域を、前記第1ネットワークシステムの前記チャネルの前記帯域更新値に基づいて調整し、前記第2ネットワークシステムは、前記第2ネットワークシステムの前記チャネルの前記帯域を、前記第2ネットワークシステムの前記チャネルの前記帯域更新値に基づいて調整し、
前記第1ネットワークシステムの前記チャネルの更新帯域、および前記第2ネットワークシステムの前記チャネルの更新帯域は、前記ユーザ要求または前記チャネル状態の要求を満たし、
前記ネットワークインターフェースは、外部にある前記帯域調整ユニット、前記第1ネットワークシステム、および前記第2ネットワークシステムにネットワーク接続される、帯域調整コントローラ。
【請求項１３】
前記第1ネットワークシステムの前記チャネルの前記帯域、および前記ガード帯域に隣接する前記第2ネットワークシステムの前記チャネルの前記帯域を調整するように構成される前記帯域調整ユニットは、
前記ガード帯域の前記帯域更新値を導出して次の関係式
【数２２】
2016524851.tif 000145
、を満たすようにさらに構成され、式中、
【数２３】
2016524851.tif 000146
は、前記ガード帯域の前記帯域更新値であり、
【数２４】
2016524851.tif 000147
は、前記第1ネットワークシステムの前記チャネルの前記帯域更新値であり、
【数２５】
2016524851.tif 000148
は、前記第2ネットワークシステムの前記チャネルの前記帯域更新値であり、
【数２６】
2016524851.tif 000149
は、
【数２７】
2016524851.tif 000150
および
【数２８】
2016524851.tif 000151
のうちのいずれか一方の増加とともに増加する関数である、請求項12に記載の帯域調整コントローラ。
【請求項１４】
前記第1ネットワークシステムの前記チャネルの前記帯域、および前記ガード帯域に隣接する前記第2ネットワークシステムの前記チャネルの前記帯域を調整するように構成される前記帯域調整ユニットは、
前記第1ネットワークシステムの前記チャネルの前記帯域更新値、および前記第2ネットワークシステムの前記チャネルの前記帯域更新値を導出して、次の条件式
【数２９】
2016524851.tif 000152
および
【数３０】
2016524851.tif 000153
を満たすようにさらに構成され、
式中、
【数３１】
2016524851.tif 000154
は、前記第1ネットワークシステムの前記チャネルの1帯域幅単位であり、
【数３２】
2016524851.tif 000155
は、前記第1ネットワークシステムの前記チャネルの初期帯域であり、nおよびn’はそれぞれ自然数であり、
【数３３】
2016524851.tif 000156
は、前記第1ネットワークシステムの前記チャネルの第1側の部分帯域調整幅であり、前記第1側は、前記第2ネットワークシステムに近い方の前記第1ネットワークシステム側であり、
【数３４】
2016524851.tif 000157
は、前記第1ネットワークシステムの前記チャネルの第2側の部分帯域調整幅であり、前記第2側は、前記第1側の反対側の前記第1ネットワークシステムの側であり、
【数３５】
2016524851.tif 000158
は、前記第2ネットワークシステムの前記チャネルの1帯域幅単位であり、
【数３６】
2016524851.tif 000159
は、前記第2ネットワークシステムの前記チャネルの初期帯域であり、kおよびk’はそれぞれ自然数であり、
【数３７】
2016524851.tif 000160
は、前記第2ネットワークシステムの前記チャネルの帯域調整幅である、請求項11、12または13に記載の帯域調整コントローラ。
【請求項１５】
前記第1ネットワークシステムの前記チャネルの前記帯域、および前記ガード帯域に隣接する前記第2ネットワークシステムの前記チャネルの前記帯域を調整するように構成される前記帯域調整ユニットは、
【数３８】
2016524851.tif 000161
を、
【数３９】
2016524851.tif 000162
および
【数４０】
2016524851.tif 000163
の減少とともに減少する関数として導出するように構成される、請求項12に記載の帯域調整コントローラ。
【請求項１６】
前記第1ネットワークシステムの前記チャネル、および／または前記第2ネットワークシステムの前記チャネルを検出して、前記第1ネットワークシステムの前記チャネルのビジー率、および／または前記第2ネットワークシステムの前記チャネルのビジー率を求めるように構成される、チャネル状態検出ユニットをさらに備え、
前記帯域調整ユニットは、前記第1ネットワークシステムの前記チャネルの前記帯域、および前記ガード帯域に隣接する前記第2ネットワークシステムの前記チャネルの前記帯域を、前記第1ネットワークシステムのユーザ帯域変更要求、または前記第2ネットワークシステムのユーザ帯域変更要求、または前記第1ネットワークシステムおよび前記第2ネットワークシステムのユーザ帯域変更要求に基づいて調整し、あるいは、
前記第1ネットワークシステムの前記チャネルの前記帯域、および前記ガード帯域に隣接する前記第2ネットワークシステムの前記チャネルの前記帯域を、前記第1ネットワークシステムの前記チャネルの前記ビジー率、または前記第2ネットワークシステムの前記チャネルの前記ビジー率、または前記第1ネットワークシステムおよび前記第2ネットワークシステムの前記チャネルの前記ビジー率に基づいて調整し、あるいは、
前記第1ネットワークシステムの前記チャネルの前記帯域、および前記ガード帯域に隣接する前記第2ネットワークシステムの前記チャネルの前記帯域を、
前記第1ネットワークシステムのユーザ帯域変更要求、もしくは前記第2ネットワークシステムのユーザ帯域変更要求、もしくは前記第1ネットワークシステムおよび前記第2ネットワークシステムのユーザ帯域変更要求、および
前記第1ネットワークシステムの前記チャネルの前記ビジー率、もしくは前記第2ネットワークシステムの前記チャネルの前記ビジー率、もしくは前記第1ネットワークシステムおよび前記第2ネットワークシステムの前記チャネルの前記ビジー率
に基づいて調整するように構成される、請求項11、12または13に記載の帯域調整コントローラ。
【発明の詳細な説明】
【技術分野】
【０００１】
本出願は、2013年5月21日に中国知的財産権局に出願された「BANDWIDTH ADJUSTMENT METHOD AND BANDWIDTH ADJUSTMENT CONTROLLER（帯域調整方法および帯域調整コントローラ）」と題する中国特許出願第201310189898.7号の優先権を主張するものであり、この中国特許出願の内容全体が、本明細書において参照されることにより本明細書に組み込まれる。
【０００２】
本出願は、無線通信技術の分野に関し、特に帯域調整方法および帯域調整コントローラに関する。
【背景技術】
【０００３】
帯域は、信号が転送されるときのアナログ信号の最高周波数と最低周波数との差である、すなわち特定の送信情報の送信レート（送信速度）および送信品質を確保するために占有される周波数帯域の許容値である。
【０００４】
無線通信では、ネットワークシステムにおける信号送信周波数帯は、当該ネットワークシステムのチャネルとして定義され、当該チャネルの周波数範囲は、当該信号のチャネル帯域と表記される。
【０００５】
無線通信技術の発展により、帯域リソースは益々不足してきている。ネットワークシステム内の複数のユーザがネットワーク通信を行うために同じ帯域リソースを共有して、無線ネットワーク通信における限られた帯域を最大限に活用するようにしている。従来技術における通信帯域の競合を解決するために、以下の解決策が従来技術において用いられる。
【０００６】
第1の従来技術は、競合を、搬送波を検出することにより回避する解決策を提供する。詳細には、ネットワークシステム内のユーザは、現在のチャネルが信号送信前に空き状態になっているかどうかを検出する。現在のチャネルが空き状態になっている場合、データ送信が開始されて、チャネルが、信号を送信するために所定期間内で占有される。現在のチャネルがビジー状態になっている場合、チャネルは、ランダムな期間が経過した後に所定の方式に従って再度監視される。現在、この技術的解決策は主として、ネットワークシステムの空き周波数スペクトルを用いるために適用されている。
【０００７】
第2の従来技術では、チャネルは長時間に亘り占有される。詳細には、一旦、チャネルが占有されると、当該チャネルを使用して信号を、長時間に亘って送信または受信することができる。現在、この解決策は主として、携帯電話ネットワークに適用され、空き周波数スペクトルに広く適用されるためには適していない。
【０００８】
本出願を検討する過程で、本願発明者は、従来技術は少なくとも、以下の不具合を有するという知見を得た。
【０００９】
従来技術における帯域適用制御は、同じネットワークシステム内の複数のユーザチャネルを制御するように適合させているに過ぎず、複数のネットワークシステムが1つの帯域を共有する場合に適合していない。
【発明の概要】
【００１０】
本出願の種々実施形態による帯域調整方法が提供される。技術的解決策は、複数のネットワークシステムが同じ帯域リソースを共有する場合に、複数のネットワークシステムの間のチャネルを調整するように適合させることができることにより、帯域リソースの利用効率を向上させ、かつネットワークシステムの干渉防止機能を確保することができる。
【００１１】
本出願の種々実施形態による帯域調整コントローラがさらに提供される。技術的解決策は、複数のネットワークシステムが同じ帯域リソースを共有する場合に、複数のネットワークシステムの間のチャネルを調整するように適合させることができることにより、帯域リソースの利用効率を向上させ、かつこれらのネットワークシステムの干渉防止機能を確保することができる。
【００１２】
本出願の種々実施形態による別の帯域調整コントローラがさらに提供される。技術的解決策は、複数のネットワークシステムが同じ帯域リソースを共有する場合に、複数のネットワークシステムの間のチャネルを調整するように適合させることができることにより、帯域リソースの利用効率を向上させ、かつこれらのネットワークシステムの干渉防止機能を確保することができる。
【課題を解決するための手段】
【００１３】
第1の態様では、本出願の1つの実施形態による帯域調整方法は、
第1ネットワークシステムのチャネルの帯域、およびガード帯域に隣接する第2ネットワークシステムのチャネルの帯域を、ユーザ要求またはチャネル状態に基づいて調整するステップ、ならびに前記第1ネットワークシステムの前記チャネルの帯域更新値、前記第2ネットワークシステムの前記チャネルの帯域更新値、および前記ガード帯域の帯域更新値を導出するステップであって、前記第1ネットワークシステムの前記チャネルの更新帯域、および前記第2ネットワークシステムの前記チャネルの更新帯域が、前記ユーザ要求または前記チャネル状態の要求を満たす、調整し、導出するステップと、
前記第1ネットワークシステムの前記チャネルの前記帯域更新値を前記第1ネットワークシステムに送信し、前記第2ネットワークシステムの前記チャネルの前記帯域更新値を前記第2ネットワークシステムに送信するステップであって、前記第1ネットワークシステムは、前記第1ネットワークシステムの前記チャネルの前記帯域を、前記第1ネットワークシステムの前記チャネルの前記帯域更新値に基づいて調整し、前記第2ネットワークシステムは、前記第2ネットワークシステムの前記チャネルの前記帯域を、前記第2ネットワークシステムの前記チャネルの前記帯域更新値に基づいて調整する、送信するステップ
とを含むことができる。
【００１４】
第1の態様に関連して、第1の実施形態では、前記ガード帯域の前記帯域更新値は次の関係式
【００１５】
【数１】
2016524851.tif 000003
【００１６】
を満たし、式中、
【００１７】
【数２】
2016524851.tif 000004
【００１８】
は、前記ガード帯域の前記帯域更新値であり、
【００１９】
【数３】
2016524851.tif 000005
【００２０】
は、前記第1ネットワークシステムの前記チャネルの前記帯域更新値であり、
【００２１】
【数４】
2016524851.tif 000006
【００２２】
は、前記第2ネットワークシステムの前記チャネルの前記帯域更新値であり、
【００２３】
【数５】
2016524851.tif 000007
【００２４】
は、
【００２５】
【数６】
2016524851.tif 000008
【００２６】
および
【００２７】
【数７】
2016524851.tif 000009
【００２８】
のうちのいずれか一方の増加とともに増加する関数である。
【００２９】
第1の態様に関連して、第1の実施形態では、前記第1ネットワークシステムの前記チャネルの前記帯域更新値、および前記第2ネットワークシステムの前記チャネルの前記帯域更新値は、次の条件式
【００３０】
【数８】
2016524851.tif 000010
【００３１】
および
【００３２】
【数９】
2016524851.tif 000011
【００３３】
を満たし、
式中、
【００３４】
【数１０】
2016524851.tif 000012
【００３５】
は、前記第1ネットワークシステムの前記チャネルの1帯域幅単位であり、
【００３６】
【数１１】
2016524851.tif 000013
【００３７】
は、前記第1ネットワークシステムの前記チャネルの初期帯域であり、nおよびn’はそれぞれ自然数であり、
【００３８】
【数１２】
2016524851.tif 000014
【００３９】
は、前記第1ネットワークシステムの前記チャネルの第1側の部分帯域調整幅であり、前記第1側は、前記第2ネットワークシステムに近い方の前記第1ネットワークシステムの側であり、
【００４０】
【数１３】
2016524851.tif 000015
【００４１】
は、前記第1ネットワークシステムの前記チャネルの第2側の部分帯域調整幅であり、前記第2側は、前記第1側の反対側の前記第1ネットワークシステムの側であり、
【００４２】
【数１４】
2016524851.tif 000016
【００４３】
は、前記第2ネットワークシステムの前記チャネルの1帯域幅単位であり、
【００４４】
【数１５】
2016524851.tif 000017
【００４５】
は、前記第2ネットワークシステムの前記チャネルの初期帯域であり、kおよびk’はそれぞれ自然数であり、
【００４６】
【数１６】
2016524851.tif 000018
【００４７】
は、前記第2ネットワークシステムの前記チャネルの帯域調整幅である。
【００４８】
第1の態様に関連して、第1の実施形態では、
【００４９】
【数１７】
2016524851.tif 000019
【００５０】
をゼロに設定する。
【００５１】
第1の態様に関連して、第1の実施形態では、
【００５２】
【数１８】
2016524851.tif 000020
【００５３】
はさらに、
【００５４】
【数１９】
2016524851.tif 000021
【００５５】
および
【００５６】
【数２０】
2016524851.tif 000022
【００５７】
の減少とともに減少する関数である。
【００５８】
第1の態様に関連して、第1の実施形態では、第1ネットワークシステムのチャネルの帯域、およびガード帯域に隣接する第2ネットワークシステムのチャネルの帯域を、ユーザ要求またはチャネル状態に基づいて調整する前記ステップは、
前記第1ネットワークシステムの前記チャネルの前記帯域、および前記ガード帯域に隣接する前記第2ネットワークシステムの前記チャネルの前記帯域を、前記第1ネットワークシステムのユーザ帯域変更要求、または前記第2ネットワークシステムのユーザ帯域変更要求、または前記第1ネットワークシステムおよび前記第2ネットワークシステムのユーザ帯域変更要求に基づいて調整するステップ、あるいは、
前記第1ネットワークシステムの前記チャネルの前記帯域、および前記ガード帯域に隣接する前記第2ネットワークシステムの前記チャネルの前記帯域を、前記第1ネットワークシステムの前記チャネルのビジー率、または前記第2ネットワークシステムの前記チャネルのビジー率、または前記第1ネットワークシステムおよび前記第2ネットワークシステムの前記チャネルのビジー率に基づいて調整するステップ、あるいは、
前記第1ネットワークシステムの前記チャネルの前記帯域、および前記ガード帯域に隣接する前記第2ネットワークシステムの前記チャネルの前記帯域を、以下の
前記第1ネットワークシステムのユーザ帯域変更要求、もしくは前記第2ネットワークシステムのユーザ帯域変更要求、もしくは前記第1ネットワークシステムおよび前記第2ネットワークシステムのユーザ帯域変更要求、ならびに、
前記第1ネットワークシステムの前記チャネルのビジー率、もしくは前記第2ネットワークシステムの前記チャネルのビジー率、もしくは前記第1ネットワークシステムおよび前記第2ネットワークシステムの前記チャネルのビジー率に基づいて調整するステップ
を含む。
【００５９】
第1の態様に関連して、第1の実施形態では、前記第1ネットワークシステムの前記チャネルの前記ビジー率、前記第2ネットワークシステムの前記チャネルの前記ビジー率を、前記第1ネットワークシステムのユーザ、および／または前記第2ネットワークシステムのユーザが検出して報告する、またはコントローラで検出し、前記コントローラは、前記第1ネットワークシステムの帯域調整、および前記第2ネットワークシステムの帯域調整を制御するように構成される。
【００６０】
第1の態様に関連して、第1の実施形態では、前記第1ネットワークシステムの前記チャネルの前記ビジー率が、所定のビジー率上限に等しいか、または所定のビジー率上限を超える場合、第1ネットワークシステムのチャネルの帯域、およびガード帯域に隣接する第2ネットワークシステムのチャネルの帯域を、ユーザ要求またはチャネル状態に基づいて調整する前記ステップは、共通周波数範囲の中の空き周波数帯域を、前記第1ネットワークシステムのチャネルとして、調整対象の前記第1ネットワークシステムの前記チャネルに替えて設定するステップと、
【００６１】
【数２１】
2016524851.tif 000023
【００６２】
をゼロに設定するステップと、
前記第1ネットワークシステムの前記チャネルの前記帯域、および前記ガード帯域に隣接する前記第2ネットワークシステムの前記チャネルの前記帯域を、前記ユーザ要求または前記チャネル状態に基づいて調整するステップとを含む。
【００６３】
第1の態様に関連して、第1の実施形態では、調整対象の前記第1ネットワークシステムの前記チャネルの干渉源を決定するステップ、および
前記干渉源が前記第2ネットワークシステムに由来する場合、調整対象の前記第1ネットワークシステムの前記チャネルを、前記第2ネットワークシステムのチャネルとして設定するステップ、または
前記干渉源が前記第2ネットワークシステムに由来しない場合、調整対象の前記第1ネットワークシステムの前記チャネルを、前記ガード帯域として設定するステップをさらに含む。
【００６４】
第1の態様に関連して、第1の実施形態では、前記第1ネットワークシステムの前記チャネルは、連続する拡張チャネルであるか、またはいずれか2つの隣接するチャネル周波数範囲の間にガード区間を有する複数のチャネル周波数範囲である。
【００６５】
第2の態様では、本出願の1つの実施形態による帯域調整コントローラは、
第1ネットワークシステムのチャネルの帯域、およびガード帯域に隣接する第2ネットワークシステムのチャネルの帯域を、ユーザ要求またはチャネル状態に基づいて調整し、前記第1ネットワークシステムの前記チャネルの帯域更新値、前記第2ネットワークシステムの前記チャネルの帯域更新値、および前記ガード帯域の帯域更新値を導出し、前記第1ネットワークシステムの前記チャネルの前記帯域更新値を前記第1ネットワークシステムにネットワークインターフェースを介して送信し、前記第2ネットワークシステムの前記チャネルの前記帯域更新値を前記第2ネットワークシステムに前記ネットワークインターフェースを介して送信する、帯域調整ユニットを含むことができ、
前記第1ネットワークシステムは、前記第1ネットワークシステムの前記チャネルの前記帯域を、前記第1ネットワークシステムの前記チャネルの前記帯域更新値に基づいて調整し、前記第2ネットワークシステムは、前記第2ネットワークシステムの前記チャネルの前記帯域を、前記第2ネットワークシステムの前記チャネルの前記帯域更新値に基づいて調整し、前記第1ネットワークシステムの前記チャネルの更新帯域、および前記第2ネットワークシステムの前記チャネルの更新帯域は、前記ユーザ要求または前記チャネル状態の要求を満たし、
前記ネットワークインターフェースは、外部にある前記帯域調整ユニット、前記第1ネットワークシステム、および前記第2ネットワークシステムにネットワーク接続される。
【００６６】
第2の態様に関連して、第1の実施形態では、前記帯域調整ユニットは、第1ネットワークシステムのチャネルの帯域、およびガード帯域に隣接する第2ネットワークシステムのチャネルの帯域を調整するように構成され、前記ガード帯域の前記帯域更新値を次の関係式
【００６７】
【数２２】
2016524851.tif 000024
【００６８】
として導出するようにさらに構成され、式中、
【００６９】
【数２３】
2016524851.tif 000025
【００７０】
は、前記ガード帯域の前記帯域更新値であり、
【００７１】
【数２４】
2016524851.tif 000026
【００７２】
は、前記第1ネットワークシステムの前記チャネルの前記帯域更新値であり、
【００７３】
【数２５】
2016524851.tif 000027
【００７４】
は、前記第2ネットワークシステムの前記チャネルの前記帯域更新値であり、
【００７５】
【数２６】
2016524851.tif 000028
【００７６】
は、
【００７７】
【数２７】
2016524851.tif 000029
【００７８】
および
【００７９】
【数２８】
2016524851.tif 000030
【００８０】
のうちのいずれか一方の増加とともに増加する関数である。
【００８１】
第2の態様に関連して、第1の実施形態では、前記帯域調整ユニットは、前記第1ネットワークシステムの前記チャネルの前記帯域、および前記ガード帯域に隣接する前記第2ネットワークシステムの前記チャネルの前記帯域を調整するように構成され、
前記第1ネットワークシステムの前記チャネルの前記帯域更新値、および前記第2ネットワークシステムの前記チャネルの前記帯域更新値を次の条件式
【００８２】
【数２９】
2016524851.tif 000031
【００８３】
および
【００８４】
【数３０】
2016524851.tif 000032
【００８５】
として導出するようにさらに構成され、式中、
【００８６】
【数３１】
2016524851.tif 000033
【００８７】
は、前記第1ネットワークシステムの前記チャネルの1帯域幅単位であり、
【００８８】
【数３２】
2016524851.tif 000034
【００８９】
は、前記第1ネットワークシステムの前記チャネルの初期帯域であり、nおよびn’はそれぞれ自然数であり、
【００９０】
【数３３】
2016524851.tif 000035
【００９１】
は、前記第1ネットワークシステムの前記チャネルの第1側の部分帯域調整幅であり、前記第1側は、前記第2ネットワークシステムに近い方の前記第1ネットワークシステムの側であり、
【００９２】
【数３４】
2016524851.tif 000036
【００９３】
は、前記第1ネットワークシステムの前記チャネルの第2側の部分帯域調整幅であり、前記第2側は、前記第1側の反対側の前記第1ネットワークシステムの側であり、
【００９４】
【数３５】
2016524851.tif 000037
【００９５】
は、前記第2ネットワークシステムの前記チャネルの1帯域幅単位であり、
【００９６】
【数３６】
2016524851.tif 000038
【００９７】
は、前記第2ネットワークシステムの前記チャネルの初期帯域であり、kおよびk’はそれぞれ自然数であり、
【００９８】
【数３７】
2016524851.tif 000039
【００９９】
は、前記第2ネットワークシステムの前記チャネルの帯域調整幅である。
【０１００】
第2の態様に関連して、第1の実施形態では、前記帯域調整ユニットは、第1ネットワークシステムのチャネルの帯域、およびガード帯域に隣接する第2ネットワークシステムのチャネルの帯域を調整するように構成され、
【０１０１】
【数３８】
2016524851.tif 000040
【０１０２】
を、
【０１０３】
【数３９】
2016524851.tif 000041
【０１０４】
および
【０１０５】
【数４０】
2016524851.tif 000042
【０１０６】
の減少とともに減少する関数として導出するようにさらに構成される。
【０１０７】
第2の態様に関連して、第1の実施形態では、チャネル状態検出ユニットは、前記第1ネットワークシステムの前記チャネル、および／または前記第2ネットワークシステムの前記チャネルを検出して、前記第1ネットワークシステムの前記チャネルのビジー率、および／または前記第2ネットワークシステムの前記チャネルのビジー率を求めるように構成され、
前記帯域調整ユニットは、
前記第1ネットワークシステムの前記チャネルの前記帯域、および前記ガード帯域に隣接する前記第2ネットワークシステムの前記チャネルの前記帯域を、前記第1ネットワークシステムのユーザ帯域変更要求、または前記第2ネットワークシステムのユーザ帯域変更要求、または前記第1ネットワークシステムおよび前記第2ネットワークシステムのユーザ帯域変更要求に基づいて調整し、あるいは、
前記第1ネットワークシステムの前記チャネルの前記帯域、および前記ガード帯域に隣接する前記第2ネットワークシステムの前記チャネルの前記帯域を、前記第1ネットワークシステムの前記チャネルの前記ビジー率、または前記第2ネットワークシステムの前記チャネルの前記ビジー率、または前記第1ネットワークシステムおよび前記第2ネットワークシステムの前記チャネルの前記ビジー率に基づいて調整し、あるいは、
前記第1ネットワークシステムの前記チャネルの前記帯域、および前記ガード帯域に隣接する前記第2ネットワークシステムの前記チャネルの前記帯域を、
前記第1ネットワークシステムのユーザ帯域変更要求、もしくは前記第2ネットワークシステムのユーザ帯域変更要求、もしくは前記第1ネットワークシステムおよび前記第2ネットワークシステムのユーザ帯域変更要求、および
前記第1ネットワークシステムの前記チャネルの前記ビジー率、もしくは前記第2ネットワークシステムの前記チャネルの前記ビジー率、もしくは前記第1ネットワークシステムおよび前記第2ネットワークシステムの前記チャネルの前記ビジー率に基づいて調整するように構成される。
【０１０８】
従って、これらの実施形態による技術的解決策では、共通周波数帯の帯域を共有する複数のネットワークシステムのチャネルを調整する場合、いずれか2つのネットワークシステムの調整対象チャネルの間のガード帯域を、調整対象のネットワークシステムのチャネルの帯域を変更して動的に変更することにより、同じ周波数帯リソースを共有するネットワークシステムの間の通信干渉を低減して通信品質を確保することができる。
【図面の簡単な説明】
【０１０９】
【図１】本出願の1つの実施形態による共通周波数範囲の帯域を共有する複数のネットワークシステムの周波数帯の模式的な分布図および分割図である。
【図２】本出願の1つの実施形態による共通周波数範囲の帯域を共有する複数のネットワークシステムの周波数帯の別の模式的な分布図および分割図である。
【図３】本出願の第1の実施形態による帯域調整方法のフローチャートである。
【図４】本出願の第2の実施形態によるネットワークシステムの帯域を調整する前の複数のネットワークシステムの周波数帯の模式的な分布図である。
【図５】本出願の第2の実施形態によるネットワークシステムの帯域を調整した後の複数のネットワークシステムの周波数帯の模式的な分布図である。
【図６】本出願の第2の実施形態によるネットワークシステムの帯域を調整する前の複数のネットワークシステムの周波数帯の別の模式的な分布図である。
【図７】本出願の第3の実施形態による帯域調整コントローラの模式的構造図である。
【図８】本出願の第4の実施形態による帯域調整コントローラの模式的構造図である。
【図９】本出願の第5の実施形態による帯域調整コントローラの模式的構造図である。
【発明を実施するための形態】
【０１１０】
第1の実施形態
本実施形態による帯域調整方法は、複数のネットワークシステムのチャネルの帯域を、複数のネットワークシステムが、同じ共通周波数範囲の帯域を共有する場合に、同じ共通周波数範囲に収まるように調整するために適用することができる。
【０１１１】
本実施形態では、複数のネットワークシステムの間の干渉を回避するために、任意の2つのネットワークシステムの間の干渉を低減するための帯域は、これらのネットワークシステムの間で分離され、この帯域はガード帯域（guard bandwidth）と表記される。この場合、複数のネットワークシステムのチャネル、および任意の2つのネットワークシステムの間のガード帯域はそれぞれ、同じ共通周波数範囲の帯域に収まる。
【０１１２】
本実施形態では、任意のネットワークシステムのチャネルは、連続する拡張チャネルとすることができる、またはガード帯域を任意の2つの隣接チャネル周波数範囲の間に有する複数のチャネル周波数範囲を含むことができる。また、ネットワークシステムのうちの1つ以上のネットワークシステムは、連続する拡張チャネルを有することができ、1つ以上の他のネットワークシステムは、ガード帯域を任意の2つの隣接チャネル周波数範囲の間に有する複数のチャネル周波数範囲を含むチャネルを有することができる。
【０１１３】
例えば、図1は、本実施形態の模式図である。図1では、第1ネットワークシステムおよび第2ネットワークシステムが、同じ共通周波数範囲の帯域を共有する。第1ネットワークシステムのチャネルは、図1の連続する拡張チャネル101である。第2ネットワークシステムのチャネルは、図1の複数の離散周波数範囲1021、1022、1023、1024、1025、1026、および1027を含む。ガード帯域103および104は、第1ネットワークシステムのチャネル101と第2ネットワークシステムのチャネルとの間に配置される。
【０１１４】
説明を分かり易くするために、本実施形態では、現時点で調整対象のネットワークシステムのチャネル（このチャネルは、連続する拡張チャネルまたはチャネル周波数範囲とすることができる）は、第1ネットワークシステムのチャネルとして定義され、別のネットワークシステムのチャネル（このチャネルは、連続する拡張チャネルまたはチャネル周波数範囲とすることができる）は、調整対象の第1ネットワークシステムのチャネルの調整される側に隣接する。例えば、図1の第1ネットワークシステムのチャネル101は、現在の調整で調整される必要があり、第1ネットワークシステムのチャネル101の左側を調整し、第2ネットワークのチャネルの周波数範囲1021は、第1ネットワークシステムのチャネル101の左側に隣接している。この場合、第1ネットワークシステムのチャネル101、および第2ネットワークのチャネルの周波数範囲1021は共に調整される必要がある。調整が、第1ネットワークシステムのチャネル101の右側に対して行われる場合、第1ネットワークシステムのチャネル101、および第2ネットワークのチャネルの周波数範囲1022を調整する必要がある。調整が、第1ネットワークシステムのチャネル101の左側および右側の両方に対して行われる場合、第1ネットワークシステムのチャネル101、および第2ネットワークのチャネルの周波数範囲1021および1022を調整する必要がある。第1ネットワークシステムのチャネル101の左側および右側の両方を調整する必要がある場合、チャネル101の左側または右側を最初に調整することができ、最後に両側の調整が行われる。
【０１１５】
本実施形態によるチャネル調整についての説明を分かり易くするために、各調整では、調整対象のネットワークのチャネル、または当該チャネルのチャネル周波数範囲は、第1ネットワークシステムのチャネルと表記され、現時点で調整対象の第1ネットワークシステムのチャネルの調整側に隣接するいずれかの別のネットワークシステムのチャネル（ガード帯域は、これらのチャネルの間に配置される）、または当該チャネルの周波数範囲は、第2ネットワークシステムのチャネルと表記される。
【０１１６】
例えば、図1に示すシステムでは、ネットワークシステム1のチャネル101を現時点で調整する必要がある場合、ネットワークシステム1のチャネル101は、調整対象の第1ネットワークシステムのチャネルとして機能し、チャネル101の左側および右側を調整する必要がある。チャネル101の左側のネットワークシステム2のチャネル周波数範囲1021は、チャネル101の左側を調整する場合に、第2ネットワークシステムのチャネルとして機能することができ、チャネル101の右側のネットワークシステム2のチャネル周波数範囲1022は、チャネル101の右側を調整する場合に、第2ネットワークシステムのチャネルとして機能することができる。
【０１１７】
別の例の場合、図2に示すシステムでは、ネットワークシステム1のチャネルは、連続する拡張チャネル001であり、ネットワークシステム2のチャネルは、連続する拡張チャネル002であり、ネットワークシステム3のチャネルは、チャネル周波数範囲0031、0032、および0033を含み、複数のガード区間は、チャネル周波数範囲0031、0032、および0033の間に配置される。ガード帯域004および005が図2に図示されている。ネットワークシステム1のチャネル001を現時点で調整する必要がある場合、ネットワークシステム1のチャネル001は、調整対象の第1ネットワークシステムのチャネルとして機能し、チャネル001の左側および右側を調整する必要がある。チャネル001の左側に位置するネットワークシステム011の連続する拡張チャネル002は、チャネル001の左側を調整する場合に第2ネットワークシステムのチャネルとして機能するステップと、チャネル001の左側に位置するネットワークシステム022のチャネルのチャネル周波数範囲003は、チャネル001の右側を調整する場合に第2ネットワークシステムのチャネルとして機能する。
【０１１８】
図3を参照するに、調整方法は主として、以下のステップを含む。
【０１１９】
ステップ301では、第1ネットワークシステムのチャネルの帯域、およびガード帯域に隣接する第2ネットワークシステムのチャネルの帯域をユーザ要求またはチャネル状態に基づいて調整する。
【０１２０】
当該ステップでは、第1ネットワークシステムのチャネルの帯域、およびガード帯域に隣接する第2ネットワークシステムのチャネルの帯域を、ユーザ要求またはチャネル状態に基づいて調整することにより、第1ネットワークシステムのチャネルの帯域更新値、第2ネットワークシステムのチャネルの帯域更新値、およびガード帯域の帯域更新値を導出する。
【０１２１】
本実施形態の模式例では、第1ネットワークシステムのチャネルの更新帯域、および第2ネットワークシステムのチャネルの更新帯域は、ユーザ要求または現在のチャネル状態の要求を満たす。例えば、第1ネットワークシステムのユーザが、帯域を拡張するように要求する場合、または第1ネットワークシステムのチャネルがビジー状態であり、かつ当該チャネルを拡張する必要がある場合、第1ネットワークシステムのチャネルの帯域を拡張して、ユーザ要求または現在のチャネル状態に対する要求を満たす。第1ネットワークシステムのチャネルの帯域を調整する場合、第1ネットワークシステムのチャネルに隣接し、かつガイド帯域によって分離される第2ネットワークシステムのチャネルの帯域も、第1ネットワークシステムのチャネルの帯域を拡張するか、または縮小するかに関係なく、調整する必要がある（第2ネットワークシステムのチャネルを縮小するか、または拡張する）。
【０１２２】
本実施形態の模式例では、チャネルのビジー状態を判定するための閾値は、通話中のユーザの数を表す閾値とするか、または単位帯域当たりのユーザの数を表す閾値とすることができる。通話中のユーザの数はNaとして定義され、帯域はBWとして定義され、ビジー率は、通話中のユーザの数を、通話中のユーザの数を表す閾値と直接比較するか、または単位帯域当たりのユーザの数Na／BWを、単位帯域当たりのユーザの数を表す閾値と直接比較することにより求めることができる。
【０１２３】
本実施形態の別の模式例では、以下の調整方法を本実施形態に適用することができる。この調整方法では、調整対象の2つのネットワークシステムのチャネルの間のガード帯域を細かく調整する。
【０１２４】
【数４１】
2016524851.tif 000043
【０１２５】
は、第1ネットワークシステムのチャネル、および第2ネットワークシステムのチャネルを調整して、ガード帯域の更新値が関係式
【０１２６】
【数４２】
2016524851.tif 000044
【０１２７】
を満たす限界値として定義され、式中、
【０１２８】
【数４３】
2016524851.tif 000045
【０１２９】
は、
【０１３０】
【数４４】
2016524851.tif 000046
【０１３１】
および
【０１３２】
【数４５】
2016524851.tif 000047
【０１３３】
のうちのいずれか一方の増加とともに増加する関数であり、
【０１３４】
【数４６】
2016524851.tif 000048
【０１３５】
は、ガード帯域の帯域更新値であり、
【０１３６】
【数４７】
2016524851.tif 000049
【０１３７】
は、第1ネットワークシステムのチャネルの帯域更新値であり、
【０１３８】
【数４８】
2016524851.tif 000050
【０１３９】
は、第2ネットワークシステムのチャネルの帯域更新値である。すなわち、第1ネットワークシステムのチャネル、および第2ネットワークシステムのチャネルのうちのいずれか一方のチャネルの帯域を拡張する場合、調整対象の2つのシステムのチャネルの間のガード帯域も拡張する。この調整方法の場合、ガード帯域は、ガード帯域の両側のうちのいずれか一方の側のネットワークシステムのチャネルの帯域を広くする場合に広くなる。従って、これにより、2つのネットワークシステムのいずれかのネットワークシステムのチャネルが、他方のネットワークシステムのチャネルに干渉する度合いが、いずれかのネットワークシステムのチャネルの漏れ消費電力が大きくなる（送信電力が大きくなると、漏れ消費電力が大きくなる）ことに起因して強くなる事態を回避することができる。従って、同じ周波数帯リソースを共有するネットワークシステムの間の通信干渉を低減することができ、通信品質を確保することができる。
【０１４０】
ステップ302では、第1ネットワークシステムのチャネルの帯域更新値を第1ネットワークシステムに送信し、第2ネットワークシステムのチャネルの帯域更新値を第2ネットワークシステムに送信する。
【０１４１】
第1ネットワークシステムのチャネルの帯域更新値、および第2ネットワークシステムのチャネルの帯域更新値をステップ301で取得した後、第1ネットワークシステムのチャネルの帯域更新値を第1ネットワークシステムに送信し、第2ネットワークシステムの帯域更新値を第2ネットワークシステムに送信する。次に、第1ネットワークシステムは、第1ネットワークシステムのチャネルを、調整対象チャネルの初期帯域値から帯域更新値に、第1ネットワークシステムのチャネルの帯域更新値に基づいて調整することにより、第1ネットワークシステムは、ネットワーク通信を、調整後のチャネルを介して行うことができる。第2ネットワークシステムは、第2ネットワークシステムのチャネルを、調整対象チャネルの初期帯域値から帯域更新値に、第2ネットワークシステムのチャネルの帯域更新値に基づいて調整することにより、第2ネットワークシステムは、ネットワーク通信を、調整後のチャネルを介して行うことができる。
【０１４２】
当該ステップにおいて、ネットワークシステムが、チャネルの帯域を調整対象チャネルの帯域更新値に基づいて調整するプロセスは、これに限定されないが、従来技術を含むことができる。
【０１４３】
従って、本実施形態では、共通周波数帯の帯域を共有する複数のネットワークシステムのチャネルを調整する場合、調整対象のネットワークシステムのうちの任意の2つのネットワークシステムのチャネルの間のガード帯域は、ネットワークシステムの現時点で調整対象のチャネルの帯域の変更として動的に変更することができるので、同じ周波数帯リソースを共有するネットワークシステムの間の通信干渉を低減して通信品質を確保することができる。本実施形態では、任意のネットワークシステムのチャネルの調整は、例えば図1の第2ネットワークシステムの周波数帯1025が調整され、第2ネットワークシステムの周波数帯1021および／または周波数帯1026がそれに応じて調整される場合の同じネットワークシステム内の異なるユーザのチャネルに対してのみ行うことができることに留意されたい。調整が第2ネットワークシステムのチャネルに対してのみ行われる場合、第2ネットワークシステムのチャネルを調整するプロセスは、これに限定されないが、従来技術を含むことができる。同様に、第1ネットワークシステムのユーザのチャネルの調整は、第1ネットワークシステムのチャネルがさらに、離散周波数範囲を含む場合、上記の場合と同様になる。
【０１４４】
さらに、本実施形態の模式的な実施形態では、本実施形態の技術的解決策の1つの実施形態は、これに限定されないが、ネットワークシステムの全てに接続されるコントローラを含むことができる。
【０１４５】
第2の実施形態
本実施形態は、第1の実施形態の任意の別の実施形態であり、本実施形態は第1の実施形態とは、以下の点で異なっている。
【０１４６】
本実施形態では、図1のステップ101において、第1ネットワークシステムのチャネルの帯域、およびガード帯域に隣接する第2ネットワークシステムのチャネルの帯域を調整して、第1ネットワークシステムのチャネルの帯域更新値、第2ネットワークシステムのチャネルの帯域更新値、およびガード帯域の帯域更新値を導出する。この場合、第1ネットワークシステムのチャネルの帯域更新値、および第2ネットワークシステムのチャネルの帯域更新値は、第1の実施形態による模式調整モードの条件式
【０１４７】
【数４９】
2016524851.tif 000051
【０１４８】
を満たし、さらに当該調整は、以下の関数（1）
【０１４９】
【数５０】
2016524851.tif 000052
【０１５０】
（1）
をさらに満たすように行われる。
【０１５１】
第1ネットワークシステムのチャネルの帯域、および第1ネットワークシステムのチャネルの帯域からガード帯域を挟んで分離される第2ネットワークシステムのチャネルの帯域は、関数（1）に基づいて計算され、かつ調整される。第2ネットワークシステムが連続する拡張チャネルを含む場合、調整対象の第2ネットワークシステムのチャネルは、第2ネットワークシステムの連続する拡張チャネル全体である。第2ネットワークシステムが、複数の離散周波数範囲を含む場合、調整対象の第2ネットワークシステムのチャネルは、第2ネットワークシステムのガードチャネルに隣接するチャネルの周波数範囲である。
【０１５２】
関数（1）では、
【０１５３】
【数５１】
2016524851.tif 000053
【０１５４】
は、調整対象の第1ネットワークシステムのチャネルの帯域更新値であり、
【０１５５】
【数５２】
2016524851.tif 000054
【０１５６】
は、第1ネットワークシステムのチャネルの初期帯域であり、
【０１５７】
【数５３】
2016524851.tif 000055
【０１５８】
は、第1ネットワークシステムのチャネルの1帯域幅単位であり、当該システムの帯域は、
【０１５９】
【数５４】
2016524851.tif 000056
【０１６０】
の整数倍に調整され、式中、
nおよびn’は自然数であり、
【０１６１】
【数５５】
2016524851.tif 000057
【０１６２】
は、第1ネットワークシステムのチャネルの一方の側の部分帯域調整幅である。図1に示すように、帯域調整が、第1ネットワークシステムの左側に対して行われる場合、
【０１６３】
【数５６】
2016524851.tif 000058
【０１６４】
は、第1ネットワークシステムのチャネルの左側の部分帯域調整幅であり、
【０１６５】
【数５７】
2016524851.tif 000059
【０１６６】
は、第1ネットワークシステムのチャネルのうちの第2ネットワークシステムのチャネルから遠く離れた側の部分帯域調整幅である。図1に示すように、帯域調整が、第1ネットワークシステムの右側に対して行われる場合、
【０１６７】
【数５８】
2016524851.tif 000060
【０１６８】
は、第1ネットワークシステムのチャネルの右側の部分帯域調整幅であり、
【０１６９】
【数５９】
2016524851.tif 000061
【０１７０】
は、第2ネットワークシステムのチャネルの帯域更新値であり、
【０１７１】
【数６０】
2016524851.tif 000062
【０１７２】
は、第2ネットワークシステムのチャネルの初期帯域であり、
【０１７３】
【数６１】
2016524851.tif 000063
【０１７４】
は、第2ネットワークシステムのチャネルの1帯域幅単位であり、
kおよびk’は自然数であり、
【０１７５】
【数６２】
2016524851.tif 000064
【０１７６】
は、第2ネットワークシステムのチャネルの帯域調整幅であり、当該帯域調整幅は、第2ネットワークシステムのチャネルの左側および右側の帯域調整幅を含む。
【０１７７】
上記関数（1）では、調整対象の第1部分帯域調整幅は、
【０１７８】
【数６３】
2016524851.tif 000065
【０１７９】
で表され、この数式の値は、第1ネットワークシステムのチャネルの1帯域幅単位の整数倍である。n＞n’が成り立つ場合、部分帯域調整幅は正数であり、第1ネットワークシステムのチャネルの帯域を拡張する。n＜n’が成り立つ場合、部分帯域調整幅は負数であり、第1ネットワークシステムのチャネルの帯域を縮小する。n＝n’が成り立つ場合、部分帯域調整幅はゼロであり、第1ネットワークシステムのチャネルの帯域は不変である。この場合、これに限定されないが、周波数帯域ホッピングを含むプロセスが実行される。
【０１８０】
コントローラは、帯域更新値を計算して取得し、上記関数に従って調整される第1ネットワークシステムのチャネルと上記関数に従って調整される第2ネットワークシステムのチャネルとの間のガード帯域の帯域更新値を計算して、調整対象の第1ネットワークシステムのチャネルの更新後の帯域更新値を第1ネットワークシステムに送信し、調整対象の第2ネットワークシステムのチャネルの更新後の帯域更新値を第2ネットワークシステムに送信する。このように、第1ネットワークシステムは、第1ネットワークシステムのチャネルを、調整後の帯域更新値に従って調整し、第2ネットワークシステムは、第2ネットワークシステムのチャネルを、調整後の帯域更新値に従って調整する。
【０１８１】
第1の実施形態と同様に、本実施形態の模式的な実施形態では、本実施形態の技術的解決策の1つの実施形態は、これに限定されないが、ネットワークシステムの全てに接続されるコントローラを含むことができる。
【０１８２】
このように、本実施形態の利点の他に、本実施形態の技術的解決策は、以下の利点を有することができる。いずれのネットワークシステムのチャネルの帯域も、当該システムの所定の1帯域幅単位の整数倍を単位として、複数のネットワークシステムのチャネルを調整する過程で調整されるので、複数のネットワークシステムのチャネルは、一層容易に調整されて、この実施形態が一層簡単になる。
【０１８３】
本実施形態の別の模式的な例では、調整対象の第1ネットワークシステムのチャネル、および調整対象の第2ネットワークシステムのチャネルが、本実施形態において調整される場合、調整対象の第1ネットワークシステムのチャネルと調整対象の第2ネットワークシステムのチャネルとの間のガード帯域の帯域更新関数
【０１８４】
【数６４】
2016524851.tif 000066
【０１８５】
は、調整対象の第1ネットワークシステムのチャネルの帯域更新値
【０１８６】
【数６５】
2016524851.tif 000067
【０１８７】
および調整対象の第2ネットワークシステムのチャネルの帯域更新値
【０１８８】
【数６６】
2016524851.tif 000068
【０１８９】
の減少とともに減少する。すなわち、ガード帯域
【０１９０】
【数６７】
2016524851.tif 000069
【０１９１】
は、
【０１９２】
【数６８】
2016524851.tif 000070
【０１９３】
および
【０１９４】
【数６９】
2016524851.tif 000071
【０１９５】
が共に減少する場合に減少するので、ガード帯域の両側のネットワークシステムのチャネル状態に適合するようになる。ガード帯域の両側のネットワークシステムのチャネルが共に縮小される（通信のビジー率が調整後に低下する）場合、ガード帯域が縮小される。このようにして、確実に、現在のガード帯域が、現在のネットワークチャネル状態に適合するようになり、帯域リソースを効果的に全て利用することができる。
【０１９６】
本実施形態の別の模式例では、調整対象のいずれか一方のネットワークシステムのチャネルが、本実施形態において調整される場合、当該チャネルを予め調整しておいて、当該ネットワークシステムのチャネルの右側の部分帯域調整幅がゼロになるようにすることができる。例えば、第1ネットワークシステムのチャネルの調整では、第1ネットワークシステムのチャネルの右側の部分帯域調整幅
【０１９７】
【数７０】
2016524851.tif 000072
【０１９８】
をゼロに設定することができる。すなわち、調整対象のネットワークシステムの帯域の調整が、当該チャネルの左側に対して行われる（拡張または縮小する）場合がデフォルトとして設定される。同様に、適応的に調整される第2ネットワークシステムのチャネルの帯域の調整では、当該帯域を予め調整しておいて、当該ネットワークシステムのチャネルの右側の部分帯域調整幅がゼロになるようにすることができる。すなわち、調整対象のネットワークシステムの帯域の調整が、当該チャネルの左側に対して行われる（拡張または縮退する）場合がデフォルトとして設定される。特定のプロセスは、図4、4および図5に図示される。
【０１９９】
図4を参照するに、帯域調整の前に、調整対象の第1ネットワークシステムのチャネルの帯域は、
【０２００】
【数７１】
2016524851.tif 000073
【０２０１】
であり、ガード帯域の帯域は、
【０２０２】
【数７２】
2016524851.tif 000074
【０２０３】
であり、ガード帯域に隣接する第1ネットワークシステムのチャネルの帯域は、
【０２０４】
【数７３】
2016524851.tif 000075
【０２０５】
である。
【０２０６】
第1ネットワークシステムのチャネルの右側を変化させないと仮定すると、拡張は、当該チャネルの左側に対して行われ、部分拡張帯域幅は、第1ネットワークシステムのチャネルを拡張する必要がある場合、
【０２０７】
【数７４】
2016524851.tif 000076
【０２０８】
となる。この場合、第1ネットワークシステムのチャネルを拡張して、ガード帯域の周波数範囲の少なくとも一部が、第1ネットワークシステムのチャネルとして使用されるようにする。
【０２０９】
【数７５】
2016524851.tif 000077
【０２１０】
が成り立つ場合、元のガード帯域の周波数範囲の一部は、図5に示すように、第1ネットワークシステムのチャネルによって占有される。第1ネットワークシステムのチャネルの帯域を拡張するので、本実施形態では、ガード帯域も関数（1）に従って拡張させる必要がある。このように、左側の側波帯のガード帯域を拡張するときの帯域調整幅は、
【０２１１】
【数７６】
2016524851.tif 000078
【０２１２】
よりも大きい。ガード帯域を、当該ガード帯域の左側で拡張して、第2ネットワークシステムのチャネルによって元々占有されていた周波数範囲を占有するようにする。第2ネットワークシステムのチャネルの帯域、およびガード帯域の帯域は、第2ネットワークシステムのチャネルの調整幅が確実に、第2ネットワークシステムの1帯域幅単位の整数倍になっている状態で調整される。
【０２１３】
【数７７】
2016524851.tif 000079
【０２１４】
が成り立つ場合、元のガード帯域、および第2ネットワークシステムのチャネルの周波数範囲の少なくとも一部は、図5に示すように、第1ネットワークシステムのチャネルによって占有される。第1ネットワークシステムのチャネルの帯域を拡張するので、本実施形態では、ガード帯域も関数（1）に従って拡張させる必要がある。左側のガード帯域を拡張するときの帯域調整幅は、
【０２１５】
【数７８】
2016524851.tif 000080
【０２１６】
よりも大きい。ガード帯域を、当該ガード帯域の左側で拡張して、第2ネットワークシステムのチャネルによって元々占有されていた周波数範囲を占有するようにする。第2ネットワークシステムのチャネルの帯域、およびガード帯域の帯域は、第2ネットワークシステムのチャネルの調整幅が確実に、第2ネットワークシステムの1帯域幅単位の整数倍になっている状態で調整される。
【０２１７】
上の説明では、ネットワークシステムのチャネルの調整の際に、チャネルの一方の側を調整するのに対し、チャネルの他方の側を変化させないままにしておく構成を取り入れることにより、本実施形態の模式例として利用することができ、この模式例は、本実施形態では、この構成に限定されない。ネットワークシステムのチャネルの両側は、調整プロセスで調整することができる。いずれの側の調整も、他方のネットワークシステムのチャネルを調整することになる場合、当該調整は、上に説明した左側に対する調整と同様の技術的解決策により行われる。
【０２１８】
本実施形態の模式例では、帯域調整制御をこれらのネットワークシステムのチャネルに対して行う際に、複数のネットワークシステムのチャネルの帯域は、これらには限定されないが、第1ネットワークシステムのユーザ帯域変更要求、および／または第2ネットワークシステムのユーザ帯域変更要求（帯域変更要求は、これらには限定されないが、帯域変更要求の他に、現在のシステムに用いられる共通周波数帯に関する空きチャネル検出情報を含み、この場合、空きチャネル検出情報はネットワークシステムから報告される）に基づいて、かつ／またはコントローラにより自発的に検出される第1ネットワークシステムのビジー率、および／または第2ネットワークシステムのビジー率に基づいて調整することができ、この場合、コントローラは、全体的なチャネル調整制御をネットワークシステムに対して行うように構成される。
【０２１９】
本実施形態の模式例では、ネットワークシステムの帯域調整は、これらには限定されないが、以下の技術的解決策に基づいて行ってもよい。
【０２２０】
調整対象の第1ネットワークシステムのチャネルのビジー率が、所定のビジー率上限に等しいか、またはビジー率上限を超える場合、空き周波数帯域を、ネットワークシステムの周波数範囲に基づいて、第1ネットワークシステムのチャネルとして再設定し、第1ネットワークシステムの帯域の初期値をゼロに設定する。第1ネットワークシステムのチャネルの帯域調整では、第1ネットワークシステムの内部のチャネルの帯域は、調整対象の第1システムのチャネルに隣接する周波数範囲が、第1ネットワークシステムのチャネルの他方の周波数範囲である場合に従来技術に基づいて調整される。第1ネットワークシステムのチャネルの帯域は、調整対象の第1ネットワークシステムのチャネルに隣接する周波数範囲が別のネットワークシステム（第2ネットワークシステムと表記される）のチャネルによって占有される場合に関数（1）に従って調整される。この場合、元の空き周波数帯域の中の第1ネットワークシステムのチャネルの帯域は、
【０２２１】
【数７９】
2016524851.tif 000081
【０２２２】
で表されるので、第1ネットワークシステムのチャネルの帯域更新値が得られる。それに応じて、ガード帯域、および第2ネットワークシステムのチャネルの帯域を、第1ネットワークシステムのチャネルの調整結果に基づいて適応的に調整する。
【０２２３】
本実施形態の別の模式例では、第1ネットワークシステムのチャネルの帯域を、ユーザから報告される、またはコントローラにより自発的に検出される空きチャネル情報に基づいて調整する。現在の空きチャネルを、第1ネットワークシステムのチャネルの周波数範囲として設定する。この場合、第1ネットワークシステムのチャネルの元の周波数範囲に収まるチャネルの干渉源が確認される。チャネルの干渉源が、第1ネットワークシステムに隣接する第2ネットワークシステムである場合、第1ネットワークシステムのチャネルの元の周波数範囲が、第2ネットワークシステムのチャネルの周波数範囲として用いられる。チャネルの干渉源が、第2ネットワークシステムではない場合、第1ネットワークシステムのチャネルの周波数範囲が、ガード帯域として設定される。技術的解決策を用いる場合、本実施形態の技術的解決策をネットワークシステムに適合させて、種々の限定的通信を行うことにより、空きチャネルの利点を全て活用して、帯域利用率を向上させて、ネットワーク通信干渉を低減する。
【０２２４】
第3の実施形態
図7に示すように、1つの実施形態による帯域調整コントローラ600が提供され、帯域調整コントローラ600はネットワーク内に設けられる。コントローラ600は、第1ネットワークシステムのチャネル、および第2ネットワークシステムのチャネルの調整を制御するように構成され、当該コントローラは、従来技術では、個別の主コントローラとすることができる、またはいずれかのネットワークシステムデバイスに一体化することができる。
【０２２５】
本実施形態による帯域調整コントローラ600は主として、帯域調整ユニット601およびネットワークインターフェース602を含む。コントローラ600のそれぞれの構成要素の接続関係、およびコントローラ600の動作原理は以下の通りである。
【０２２６】
帯域調整ユニット601は、第1ネットワークシステムのチャネルの帯域、およびガード帯域に隣接する第2ネットワークシステムのチャネルの帯域を調整するステップと、第1ネットワークシステムのチャネルの帯域更新値、第2ネットワークシステムのチャネルの帯域更新値、およびガード帯域の帯域更新値を、ユーザ要求またはチャネル状態に基づいて導出するステップと、第1ネットワークシステムのチャネルの帯域更新値を第1ネットワークシステムにネットワークインターフェース602を介して送信するステップと、第2ネットワークシステムのチャネルの帯域更新値を第2ネットワークシステムにネットワークインターフェース602を介して送信して、第1ネットワークシステムが、第1ネットワークシステムのチャネルの帯域を、第1ネットワークシステムのチャネルの帯域更新値に基づいて調整し、かつ第2ネットワークシステムが、第2ネットワークシステムのチャネルの帯域を、第2ネットワークシステムのチャネルの帯域更新値に基づいて調整するように構成される。
【０２２７】
詳細には、ガード帯域、第1ネットワークシステムのチャネル、および第2ネットワークシステムのチャネルは全て、同じ共通周波数範囲に収まる。第1ネットワークシステムおよび第2ネットワークシステムは、ガード帯域を挟んで分離されることにより、これらのネットワークシステムの間の干渉を低減する。
【０２２８】
本実施形態の模式例では、第1ネットワークシステムのチャネルの帯域、および第2ネットワークシステムのチャネルの帯域を調整する場合、帯域調整ユニット601は、第1ネットワークシステムのチャネルの更新帯域、および第2ネットワークシステムのチャネルの更新帯域がユーザ要求、またはチャネル状態の要求を満たすことができ、かつガード帯域の更新値を導出して以下の関係式
【０２２９】
【数８０】
2016524851.tif 000082
【０２３０】
を満たすことができるように構成され、式中、
【０２３１】
【数８１】
2016524851.tif 000083
【０２３２】
は、ガード帯域の更新値であり、
【０２３３】
【数８２】
2016524851.tif 000084
【０２３４】
は、第1ネットワークシステムのチャネルの帯域更新値であり、
【０２３５】
【数８３】
2016524851.tif 000085
【０２３６】
は、第2ネットワークシステムのチャネルの帯域更新値であり、
【０２３７】
【数８４】
2016524851.tif 000086
【０２３８】
は、
【０２３９】
【数８５】
2016524851.tif 000087
【０２４０】
および
【０２４１】
【数８６】
2016524851.tif 000088
【０２４２】
のうちのいずれか一方の増加とともに増加する関数である。模式的な調整方法を用いると、ガード帯域は、ガード帯域の両側のいずれか一方の側に位置するネットワークシステムのチャネルの帯域が大きくなる場合に大きくなる。従って、これにより、2つのネットワークシステムのいずれかのネットワークシステムのチャネルが、他方のネットワークシステムのチャネルに干渉する度合いが、いずれかのネットワークシステムのチャネルの漏れ消費電力が大きくなる（送信電力が大きくなると、漏れ消費電力が大きくなる）ことに起因して強くなる事態を回避することができる。従って、同じ周波数帯リソースを共有するネットワークシステムの間の通信干渉を低減することができ、通信品質を確保することができる。
【０２４３】
本実施形態のさらに別の模式例では、第1ネットワークシステムのチャネルの帯域、および第2ネットワークシステムのチャネルの帯域を調整する場合、条件式
【０２４４】
【数８７】
2016524851.tif 000089
【０２４５】
の他に、帯域調整ユニット601はさらに、以下の条件式
【０２４６】
【数８８】
2016524851.tif 000090
【０２４７】
、
【０２４８】
【数８９】
2016524851.tif 000091
【０２４９】
を満たすことができ、
式中、
【０２５０】
【数９０】
2016524851.tif 000092
【０２５１】
は、第1ネットワークシステムのチャネルの1帯域幅単位であり、
【０２５２】
【数９１】
2016524851.tif 000093
【０２５３】
は、第1ネットワークシステムのチャネルの初期帯域であり、nおよびn’はそれぞれ自然数であり、
【０２５４】
【数９２】
2016524851.tif 000094
【０２５５】
は、第1ネットワークシステムのチャネルの第1側の部分帯域調整幅であり、第1側は、第2ネットワークシステムに近い方の第1ネットワークシステムの側であり、
【０２５６】
【数９３】
2016524851.tif 000095
【０２５７】
は、第1ネットワークシステムのチャネルの第2側の部分帯域調整幅であり、第2側は、第1側とは反対側に位置する第1ネットワークシステムの側であり、
【０２５８】
【数９４】
2016524851.tif 000096
【０２５９】
は、第2ネットワークシステムのチャネルの1帯域幅単位であり、
【０２６０】
【数９５】
2016524851.tif 000097
【０２６１】
は、第2ネットワークシステムのチャネルの初期帯域であり、kおよびk’はそれぞれ自然数であり、
【０２６２】
【数９６】
2016524851.tif 000098
【０２６３】
は、第2ネットワークシステムのチャネルの帯域調整幅である。
【０２６４】
本実施形態の別の例では、第1ネットワークシステムのチャネルの帯域、および第2ネットワークシステムのチャネルの帯域を調整する場合、帯域調整ユニット601は、
【０２６５】
【数９７】
2016524851.tif 000099
【０２６６】
を、
【０２６７】
【数９８】
2016524851.tif 000100
【０２６８】
および
【０２６９】
【数９９】
2016524851.tif 000101
【０２７０】
の減少とともに減少する関数として導出することができるが、関数
【０２７１】
【数１００】
2016524851.tif 000102
【０２７２】
は、このような関数に限定されない。
【０２７３】
さらに詳細な調整解決策については、これらに限定されないが、第1および第2の実施形態における説明を参照されたい。
【０２７４】
ネットワークインターフェース602は、帯域調整ユニット601、および調整対象の外部ネットワークシステムに接続される。ネットワークシステムのチャネルの帯域が調整される場合、ネットワークインターフェース602は、調整対象の外部ネットワークシステムと、帯域調整ユニット601による制御を受けて通信を行うように構成される。
【０２７５】
従って、本実施形態では、同じ周波数帯を共有する複数のネットワークシステムのチャネルが、コントローラの帯域調整ユニット601により調整される場合、調整対象のいずれか2つのネットワークシステムの間のガード帯域を、現在調整されているネットワークシステムのチャネルの帯域の変更として動的に変更することにより、同じ周波数帯リソースを共有するネットワークシステムの間の通信干渉を低減して通信品質を確保することができる。
【０２７６】
第4の実施形態
図8に示すように、1つの実施形態による帯域調整コントローラ700が提供され、本実施形態は第3の実施形態とは主として以下の点で異なっている。
【０２７７】
コントローラはさらに、これに限定されないが、チャネル状態検出ユニット702を含むことができる。
【０２７８】
チャネル状態検出ユニット702は、第1ネットワークシステムのチャネル、および／または第2ネットワークシステムのチャネルを検出して、第1ネットワークシステムのチャネルのビジー率、および／または第2ネットワークシステムのチャネルのビジー率を求めるように構成される。
【０２７９】
従って、帯域調整ユニット701は、第1ネットワークシステムのチャネルの帯域、およびガード帯域に隣接する第2ネットワークシステムのチャネルの帯域を、第1ネットワークシステムのチャネルのビジー率、および／または第2ネットワークシステムのチャネルのビジー率に基づいて調整するステップと、第1ネットワークシステムのチャネルの帯域更新値、第2ネットワークシステムのチャネルの帯域更新値、およびガード帯域の帯域更新値を導出するように構成される。特定の調整解決策については、第1〜第3の実施形態において説明される方法を参照されたい。
【０２８０】
従って、第3の実施形態の利点の他に、本実施形態はさらに、以下の利点を有する。コントローラは、コントローラで制御されるネットワークシステムのチャネル状態を自発的に検出し、ネットワークシステムのチャネルの帯域を、チャネルのビジー率に基づいて調整することにより、チャネル帯域調整の自発性をさらに高めることができる。
【０２８１】
第5の実施形態
図9に示すように、1つの実施形態による帯域調整コントローラ800が提供され、帯域調整コントローラ800は主として、プロセッサ801と、バス802と、メモリ803と、ネットワークインターフェース804と、を含む。プロセッサ801は、メモリ803にバス802を介して接続され、ネットワークインターフェース804は、プロセッサ801および外部ネットワークシステムに接続される。
【０２８２】
プロセッサ801は、メモリ803に格納されるプログラムを実行するように構成され、当該プログラムでは、
第1ネットワークシステムのチャネルの帯域、およびガード帯域に隣接する第2ネットワークシステムのチャネルの帯域を、ユーザ要求またはチャネル状態に基づいて調整するステップと、第1ネットワークシステムのチャネルの帯域更新値、第2ネットワークシステムのチャネルの帯域更新値、およびガード帯域の帯域更新値を導出して、第1ネットワークシステムのチャネルの更新帯域、および第2ネットワークシステムのチャネルの更新帯域がユーザ要求またはチャネル状態の要求を満たし、ガード帯域の帯域更新値が関係式
【０２８３】
【数１０１】
2016524851.tif 000103
【０２８４】
を満たすようにし、
式中、
【０２８５】
【数１０２】
2016524851.tif 000104
【０２８６】
は、ガード帯域の帯域更新値であり、
【０２８７】
【数１０３】
2016524851.tif 000105
【０２８８】
は、第1ネットワークシステムのチャネルの帯域更新値であり、
【０２８９】
【数１０４】
2016524851.tif 000106
【０２９０】
は、第2ネットワークシステムのチャネルの帯域更新値であり、
【０２９１】
【数１０５】
2016524851.tif 000107
【０２９２】
は、
【０２９３】
【数１０６】
2016524851.tif 000108
【０２９４】
および
【０２９５】
【数１０７】
2016524851.tif 000109
【０２９６】
のいずれか一方の増加とともに増加する関数であり、
第1ネットワークシステムのチャネルの帯域更新値を第1ネットワークシステムにネットワークインターフェース804を介して送信するステップと、第2ネットワークシステムのチャネルの帯域更新値を第2ネットワークシステムにネットワークインターフェース804を介して送信し、
第1ネットワークシステムは、第1ネットワークシステムのチャネルの帯域を、第1ネットワークシステムのチャネルの帯域更新値に基づいて調整し、第2ネットワークシステムは、第2ネットワークシステムのチャネルの帯域を、第2ネットワークシステムのチャネルの帯域更新値に基づいて調整する。
【０２９７】
本出願による本実施形態では、実行するかどうかは任意であるが、プロセッサ801は命令を実行して、
第1ネットワークシステムのチャネルの帯域、およびガード帯域に隣接する第2ネットワークシステムのチャネルの帯域を、ユーザ要求またはチャネル状態に基づいて調整し、第1ネットワークシステムのチャネルの帯域更新値、第2ネットワークシステムのチャネルの帯域更新値、およびガード帯域の帯域更新値を導出するステップにおいて、
第1ネットワークシステムのチャネルの帯域更新値、および第2ネットワークシステムのチャネルの帯域更新値が以下の条件式
【０２９８】
【数１０８】
2016524851.tif 000110
【０２９９】
および
【０３００】
【数１０９】
2016524851.tif 000111
【０３０１】
を満たすようにし、
式中、
【０３０２】
【数１１０】
2016524851.tif 000112
【０３０３】
は、第1ネットワークシステムのチャネルの1帯域幅単位であり、
【０３０４】
【数１１１】
2016524851.tif 000113
【０３０５】
は、第1ネットワークシステムのチャネルの初期帯域であり、nおよびn’はそれぞれ自然数であり、
【０３０６】
【数１１２】
2016524851.tif 000114
【０３０７】
は、第1ネットワークシステムのチャネルの第1側の部分帯域調整幅であり、第1側は、第2ネットワークシステムに近い方の第1ネットワークシステムの側であり、
【０３０８】
【数１１３】
2016524851.tif 000115
【０３０９】
は、第1ネットワークシステムのチャネルの第2側の部分帯域調整幅であり、第2側は、第1側とは反対側に位置する第1ネットワークシステムの側であり、
【０３１０】
【数１１４】
2016524851.tif 000116
【０３１１】
は、第2ネットワークシステムのチャネルの1帯域幅単位であり、
【０３１２】
【数１１５】
2016524851.tif 000117
【０３１３】
は、第2ネットワークシステムのチャネルの初期帯域であり、kおよびk’はそれぞれ自然数であり、
【０３１４】
【数１１６】
2016524851.tif 000118
【０３１５】
は、第2ネットワークシステムのチャネルの帯域調整幅である。
【０３１６】
本出願による本実施形態では、実行するかどうかは任意であるが、プロセッサ801は命令を実行して、
【０３１７】
【数１１７】
2016524851.tif 000119
【０３１８】
をゼロに設定する。
【０３１９】
本出願による本実施形態では、実行するかどうかは任意であるが、プロセッサ801は命令を実行して、
【０３２０】
【数１１８】
2016524851.tif 000120
【０３２１】
を
【０３２２】
【数１１９】
2016524851.tif 000121
【０３２３】
および
【０３２４】
【数１２０】
2016524851.tif 000122
【０３２５】
の減少とともに減少する関数として導出する。
【０３２６】
本出願による本実施形態では、実行するかどうかは任意であるが、プロセッサ801は命令を実行して、
第1ネットワークシステムのチャネルの帯域、およびガード帯域に隣接する第2ネットワークシステムのチャネルの帯域を、ユーザ要求またはチャネル状態に基づいて調整し、第1ネットワークシステムのチャネルの帯域更新値、第2ネットワークシステムのチャネルの帯域更新値、およびガード帯域の帯域更新値を導出するステップにおいて、
第1ネットワークシステムのチャネルの帯域、およびガード帯域に隣接する第2ネットワークシステムのチャネルの帯域を、第1ネットワークシステムのユーザ帯域変更要求、および／または第2ネットワークシステムのユーザ帯域変更要求に基づいて、かつ／または第1ネットワークシステムのチャネルのビジー率、および／または第2ネットワークシステムのチャネルのビジー率に基づいて調整するステップと、第1ネットワークシステムのチャネルの帯域更新値、第2ネットワークシステムのチャネルの帯域更新値、およびガード帯域の帯域更新値を導出する。
【０３２７】
本出願による本実施形態では、実行するかどうかは任意であるが、プロセッサ801は命令を実行して、
第1ネットワークシステムのチャネルのビジー率、および／または第2ネットワークシステムのチャネルのビジー率を、第1ネットワークシステムおよび／または第2ネットワークシステムのユーザに検出させてユーザから報告させる、またはコントローラに検出させ、コントローラは、第1ネットワークシステムの帯域調整、および第2ネットワークシステムの帯域調整を制御するように構成される。
【０３２８】
本出願による本実施形態では、実行するかどうかは任意であるが、プロセッサ801は命令を実行して、
第1ネットワークシステムのチャネルのビジー率が、所定のビジー率上限に等しいか、または所定のビジー率上限を超える場合、第1ネットワークシステムのチャネルの帯域、およびガード帯域に隣接する第2ネットワークシステムのチャネルの帯域を、ユーザ要求またはチャネル状態に基づいて調整し、第1ネットワークシステムの帯域更新値、第2ネットワークシステムの帯域更新値、およびガード帯域の帯域更新値を導出するステップでは、詳細には、
共通周波数範囲の中の空き周波数帯域を、第1ネットワークシステムのチャネルとして、調整対象の第1ネットワークシステムのチャネルに替えて設定し、
【０３２９】
【数１２１】
2016524851.tif 000123
【０３３０】
をゼロに設定するステップと、
第1ネットワークシステムのチャネルの帯域、およびガード帯域に隣接する第2ネットワークシステムのチャネルの帯域を、ユーザ要求またはチャネル状態に基づいて調整するステップと、第1ネットワークシステムの帯域更新値、第2ネットワークシステムの帯域更新値、およびガード帯域の帯域更新値を導出する。
【０３３１】
本出願による本実施形態では、実行するかどうかは任意であるが、プロセッサ801は命令を実行して、
第1ネットワークシステムのチャネルの帯域、およびガード帯域に隣接する第2ネットワークシステムのチャネルの帯域を、ユーザ要求またはチャネル状態に基づいて調整し、第1ネットワークシステムのチャネルの帯域更新値、第2ネットワークシステムのチャネルの帯域更新値、およびガード帯域の帯域更新値を導出した後、
調整対象の第1ネットワークシステムのチャネルの干渉源を決定するステップと、
干渉源が第2ネットワークシステムに由来している場合に、調整対象の第1ネットワークシステムのチャネルを、第2ネットワークシステムのチャネルとして設定し、あるいは
調整対象の第1ネットワークシステムのチャネルをガード帯域として設定する。
【０３３２】
この技樹分野の当業者であれば、種々実施形態についての上記説明から、これらの実施形態は、ソフトウェアおよび必要な共通ハードウェアプラットフォームで、またはハードウェアで実現することができることを明確に理解できるであろう。この理解に基づいて、従来技術に影響を与える上記技術的方法の基本的な部分、または上記技術的方法の一部は、ソフトウェア製品で具体化することができる。ソフトウェア製品は、ROM／RAM、ディスケット、および光ディスクのようなコンピュータ可読記憶媒体に格納することができる。また、ソフトウェア製品は、コンピュータデバイス（コンピュータデバイスは、パーソナルコンピュータ、サーバ、またはネットワークデバイスとすることができる）に、これらの方法を種々実施形態に従って、または種々実施形態の特定部分に従って実行させることができる幾つかの命令を含む。
【符号の説明】
【０３３３】
1、2、3、011、022  ネットワークシステム
001、002、101  拡張チャネル
003、0031、0032、0033、1021、1022、1023、1024、1025、1026、1027  周波数範囲
004、103、104  ガード帯域
301、302  ステップ
600、700、800  帯域調整コントローラ
601、701  帯域調整ユニット
602、804  ネットワークインターフェース
702  チャネル状態検出ユニット
801  プロセッサ
802  バス
803  メモリ
BW  帯域
Na  ユーザの数
Na／BW  単位帯域当たりのユーザの数
【図１】
2016524851.tif 000164
【図２】
2016524851.tif 000165
【図３】
2016524851.tif 000166
【図４】
2016524851.tif 000167
【図５】
2016524851.tif 000168
【図６】
2016524851.tif 000169
【図７】
2016524851.tif 000170
【図８】
2016524851.tif 000171
【図９】
2016524851.tif 000172
【手続補正書】
【提出日】平成27年12月28日(2015.12.28)
【手続補正１】
【補正対象書類名】明細書
【補正対象項目名】００５９
【補正方法】変更
【補正の内容】
【００５９】
第1の態様に関連して、第1の実施形態では、前記第1ネットワークシステムの前記チャネルの前記ビジー率および／または前記第2ネットワークシステムの前記チャネルの前記ビジー率を、前記第1ネットワークシステムのユーザ、および／または前記第2ネットワークシステムのユーザが検出して報告する、またはコントローラで検出し、前記コントローラは、前記第1ネットワークシステムの帯域調整、および前記第2ネットワークシステムの帯域調整を制御するように構成される。
【手続補正２】
【補正対象書類名】明細書
【補正対象項目名】０１１７
【補正方法】変更
【補正の内容】
【０１１７】
別の例の場合、図2に示すシステムでは、ネットワークシステム1のチャネルは、連続する拡張チャネル001であり、ネットワークシステム2のチャネルは、連続する拡張チャネル002であり、ネットワークシステム3のチャネルは、チャネル周波数範囲0031、0032、および0033を含み、複数のガード区間は、チャネル周波数範囲0031、0032、および0033の間に配置される。ガード帯域004および005が図2に図示されている。ネットワークシステム1のチャネル001を現時点で調整する必要がある場合、ネットワークシステム1のチャネル001は、調整対象の第1ネットワークシステムのチャネルとして機能し、チャネル001の左側および右側を調整する必要がある。チャネル001の左側に位置するネットワークシステム2の連続する拡張チャネル002は、チャネル001の左側を調整する場合に第2ネットワークシステムのチャネルとして機能するステップと、チャネル001の右側に位置するネットワークシステム3のチャネルのチャネル周波数範囲1は、チャネル001の右側を調整する場合に第2ネットワークシステムのチャネルとして機能する。
【手続補正３】
【補正対象書類名】明細書
【補正対象項目名】０１４６
【補正方法】変更
【補正の内容】
【０１４６】
本実施形態では、図3のステップ301において、第1ネットワークシステムのチャネルの帯域、およびガード帯域に隣接する第2ネットワークシステムのチャネルの帯域を調整して、第1ネットワークシステムのチャネルの帯域更新値、第2ネットワークシステムのチャネルの帯域更新値、およびガード帯域の帯域更新値を導出する。この場合、第1ネットワークシステムのチャネルの帯域更新値、および第2ネットワークシステムのチャネルの帯域更新値は、第1の実施形態による模式調整モードの条件式
【手続補正４】
【補正対象書類名】明細書
【補正対象項目名】０１６７
【補正方法】変更
【補正の内容】
【０１６７】
【数１】
2016524851.tif 000173
【手続補正５】
【補正対象書類名】明細書
【補正対象項目名】０１９８
【補正方法】変更
【補正の内容】
【０１９８】
をゼロに設定することができる。すなわち、調整対象のネットワークシステムの帯域の調整が、当該チャネルの左側に対して行われる（拡張または縮小する）場合がデフォルトとして設定される。同様に、適応的に調整される第2ネットワークシステムのチャネルの帯域の調整では、当該帯域を予め調整しておいて、当該ネットワークシステムのチャネルの右側の部分帯域調整幅がゼロになるようにすることができる。すなわち、調整対象のネットワークシステムの帯域の調整が、当該チャネルの左側に対して行われる（拡張または縮退する）場合がデフォルトとして設定される。特定のプロセスは、図4、および図5に図示される。
【手続補正６】
【補正対象書類名】明細書
【補正対象項目名】０２０３
【補正方法】変更
【補正の内容】
【０２０３】
であり、ガード帯域に隣接する第2ネットワークシステムのチャネルの帯域は、
【手続補正７】
【補正対象書類名】明細書
【補正対象項目名】０２１０
【補正方法】変更
【補正の内容】
【０２１０】
が成り立つ場合、元のガード帯域の周波数範囲の一部は、図6に示すように、第1ネットワークシステムのチャネルによって占有される。第1ネットワークシステムのチャネルの帯域を拡張するので、本実施形態では、ガード帯域も関数（1）に従って拡張させる必要がある。このように、左側の側波帯のガード帯域を拡張するときの帯域調整幅は、
【手続補正８】
【補正対象書類名】明細書
【補正対象項目名】０２７９
【補正方法】変更
【補正の内容】
【０２７９】
従って、帯域調整ユニット601は、第1ネットワークシステムのチャネルの帯域、およびガード帯域に隣接する第2ネットワークシステムのチャネルの帯域を、第1ネットワークシステムのチャネルのビジー率、および／または第2ネットワークシステムのチャネルのビジー率に基づいて調整するステップと、第1ネットワークシステムのチャネルの帯域更新値、第2ネットワークシステムのチャネルの帯域更新値、およびガード帯域の帯域更新値を導出するように構成される。特定の調整解決策については、第1〜第3の実施形態において説明される方法を参照されたい。
【手続補正９】
【補正対象書類名】特許請求の範囲
【補正対象項目名】全文
【補正方法】変更
【補正の内容】
【特許請求の範囲】
【請求項１】
第1ネットワークシステムのチャネルの帯域、およびガード帯域に隣接する第2ネットワークシステムのチャネルの帯域を、ユーザ要求またはチャネル状態に基づいて調整するステップ、ならびに前記第1ネットワークシステムの前記チャネルの帯域更新値、前記第2ネットワークシステムの前記チャネルの帯域更新値、および前記ガード帯域の帯域更新値を導出するステップであって、前記第1ネットワークシステムの前記チャネルの更新帯域、および前記第2ネットワークシステムの前記チャネルの更新帯域が、前記ユーザ要求または前記チャネル状態の要求を満たす、調整し、導出するステップと、
前記第1ネットワークシステムの前記チャネルの前記帯域更新値を前記第1ネットワークシステムに送信し、前記第2ネットワークシステムの前記チャネルの前記帯域更新値を前記第2ネットワークシステムに送信するステップであって、
前記第1ネットワークシステムは、前記第1ネットワークシステムの前記チャネルの前記帯域を、前記第1ネットワークシステムの前記チャネルの前記帯域更新値に基づいて調整し、前記第2ネットワークシステムは、前記第2ネットワークシステムの前記チャネルの前記帯域を、前記第2ネットワークシステムの前記チャネルの前記帯域更新値に基づいて調整する、送信するステップと
を備える、帯域調整方法。
【請求項２】
前記ガード帯域の前記帯域更新値は、次の関係式
【数２】
2016524851.tif 000174
をさらに満たし、式中、
【数３】
2016524851.tif 000175
は、前記ガード帯域の前記帯域更新値であり、
【数４】
2016524851.tif 000176
は、前記第1ネットワークシステムの前記チャネルの前記帯域更新値であり、
【数５】
2016524851.tif 000177
は、前記第2ネットワークシステムの前記チャネルの前記帯域更新値であり、
【数６】
2016524851.tif 000178
は、
【数７】
2016524851.tif 000179
および
【数８】
2016524851.tif 000180
のうちのいずれか一方の増加とともに増加する関数である、請求項1に記載の帯域調整方法。
【請求項３】
前記第1ネットワークシステムの前記チャネルの前記帯域更新値、および前記第2ネットワークシステムの前記チャネルの前記帯域更新値は、次の条件式
【数９】
2016524851.tif 000181
および
【数１０】
2016524851.tif 000182
を満たし、式中、
【数１１】
2016524851.tif 000183
は、前記第1ネットワークシステムの前記チャネルの1帯域幅単位であり、
【数１２】
2016524851.tif 000184
は、前記第1ネットワークシステムの前記チャネルの初期帯域であり、nおよびn’はそれぞれ自然数であり、
【数１３】
2016524851.tif 000185
は、前記第1ネットワークシステムの前記チャネルの第1側の部分帯域調整幅であり、前記第1側は、前記第2ネットワークシステムに近い方の前記第1ネットワークシステムの側であり、
【数１４】
2016524851.tif 000186
は、前記第1ネットワークシステムの前記チャネルの第2側の部分帯域調整幅であり、前記第2側は、前記第1側の反対側の前記第1ネットワークシステムの側であり、
【数１５】
2016524851.tif 000187
は、前記第2ネットワークシステムの前記チャネルの1帯域幅単位であり、
【数１６】
2016524851.tif 000188
は、前記第2ネットワークシステムの前記チャネルの初期帯域であり、kおよびk’はそれぞれ自然数であり、
【数１７】
2016524851.tif 000189
は、前記第2ネットワークシステムの前記チャネルの帯域調整幅である、請求項1または2に記載の帯域調整方法。
【請求項４】
【数１８】
2016524851.tif 000190
をゼロに設定する、請求項3に記載の帯域調整方法。
【請求項５】
【数１９】
2016524851.tif 000191
はさらに、
【数２０】
2016524851.tif 000192
および
【数２１】
2016524851.tif 000193
の減少とともに減少する関数である、請求項1または2に記載の帯域調整方法。
【請求項６】
第1ネットワークシステムのチャネルの帯域、およびガード帯域に隣接する第2ネットワークシステムのチャネルの帯域を、ユーザ要求またはチャネル状態に基づいて調整する前記ステップは、
前記第1ネットワークシステムの前記チャネルの前記帯域、および前記ガード帯域に隣接する前記第2ネットワークシステムの前記チャネルの前記帯域を、前記第1ネットワークシステムのユーザ帯域変更要求、または前記第2ネットワークシステムのユーザ帯域変更要求、または前記第1ネットワークシステムおよび前記第2ネットワークシステムのユーザ帯域変更要求に基づいて調整するステップ、あるいは、
前記第1ネットワークシステムの前記チャネルの前記帯域、および前記ガード帯域に隣接する前記第2ネットワークシステムの前記チャネルの前記帯域を、前記第1ネットワークシステムの前記チャネルのビジー率、または前記第2ネットワークシステムの前記チャネルのビジー率、または前記第1ネットワークシステムおよび前記第2ネットワークシステムの前記チャネルのビジー率に基づいて調整するステップ、あるいは、
前記第1ネットワークシステムの前記チャネルの前記帯域、および前記ガード帯域に隣接する前記第2ネットワークシステムの前記チャネルの前記帯域を、以下の
前記第1ネットワークシステムのユーザ帯域変更要求、もしくは前記第2ネットワークシステムのユーザ帯域変更要求、もしくは前記第1ネットワークシステムおよび前記第2ネットワークシステムのユーザ帯域変更要求、ならびに、
前記第1ネットワークシステムの前記チャネルのビジー率、もしくは前記第2ネットワークシステムの前記チャネルのビジー率、もしくは前記第1ネットワークシステムおよび前記第2ネットワークシステムの前記チャネルのビジー率
に基づいて調整するステップを備える、請求項1または2に記載の帯域調整方法。
【請求項７】
前記第1ネットワークシステムの前記チャネルの前記ビジー率および／または前記第2ネットワークシステムの前記チャネルの前記ビジー率は、前記第1ネットワークシステムのユーザ、および／または前記第2ネットワークシステムのユーザによって、検出され、報告されるか、あるいは、コントローラで検出され、前記コントローラは、前記第1ネットワークシステムの帯域調整、および前記第2ネットワークシステムの帯域調整を制御するように構成される、請求項6に記載の帯域調整方法。
【請求項８】
前記第1ネットワークシステムの前記チャネルの前記ビジー率が、所定のビジー率上限に等しいか、または所定のビジー率上限を超える場合、
第1ネットワークシステムのチャネルの帯域、およびガード帯域に隣接する第2ネットワークシステムのチャネルの帯域を、ユーザ要求またはチャネル状態に基づいて調整する前記ステップは、
共通周波数範囲の中の空き周波数帯域を、前記第1ネットワークシステムのチャネルとして、調整対象の第1ネットワークシステムのチャネルに替えて設定するステップと、
【数２２】
2016524851.tif 000194
をゼロに設定するステップと、
前記第1ネットワークシステムの前記チャネルの前記帯域、および前記ガード帯域に隣接する前記第2ネットワークシステムの前記チャネルの前記帯域を、前記ユーザ要求または前記チャネル状態に基づいて調整するステップと
を備える、請求項6に記載の帯域調整方法。
【請求項９】
調整対象の前記第1ネットワークシステムの前記チャネルの干渉源を決定するステップ、
前記干渉源が前記第2ネットワークシステムに由来する場合、調整対象の前記第1ネットワークシステムの前記チャネルを、前記第2ネットワークシステムのチャネルとして設定するステップ、または
前記干渉源が前記第2ネットワークシステムに由来しない場合、調整対象の前記第1ネットワークシステムの前記チャネルを、前記ガード帯域として設定するステップをさらに備える、請求項8に記載の帯域調整方法。
【請求項１０】
前記第1ネットワークシステムの前記チャネルは、連続する拡張チャネルであるか、またはいずれか2つの隣接するチャネル周波数範囲の間にガード区間を有する複数のチャネル周波数範囲である、請求項1または2に記載の帯域調整方法。
【請求項１１】
前記第2ネットワークシステムの前記チャネルは、連続する拡張チャネルであるか、またはいずれか2つの隣接するチャネル周波数範囲の間にガード区間を有する複数のチャネル周波数範囲である、請求項1または2に記載の帯域調整方法。
【請求項１２】
第1ネットワークシステムのチャネルの帯域、およびガード帯域に隣接する第2ネットワークシステムのチャネルの帯域を、ユーザ要求またはチャネル状態に基づいて調整し、前記第1ネットワークシステムの前記チャネルの帯域更新値、前記第2ネットワークシステムの前記チャネルの帯域更新値、および前記ガード帯域の帯域更新値を導出し、前記第1ネットワークシステムの前記チャネルの前記帯域更新値を前記第1ネットワークシステムにネットワークインターフェースを介して送信し、前記第2ネットワークシステムの前記チャネルの前記帯域更新値を前記第2ネットワークシステムに前記ネットワークインターフェースを介して送信する、帯域調整ユニットを備える、帯域調整コントローラであって、
前記第1ネットワークシステムは、前記第1ネットワークシステムの前記チャネルの前記帯域を、前記第1ネットワークシステムの前記チャネルの前記帯域更新値に基づいて調整し、前記第2ネットワークシステムは、前記第2ネットワークシステムの前記チャネルの前記帯域を、前記第2ネットワークシステムの前記チャネルの前記帯域更新値に基づいて調整し、
前記第1ネットワークシステムの前記チャネルの更新帯域、および前記第2ネットワークシステムの前記チャネルの更新帯域は、前記ユーザ要求または前記チャネル状態の要求を満たし、
前記ネットワークインターフェースは、外部にある前記帯域調整ユニット、前記第1ネットワークシステム、および前記第2ネットワークシステムにネットワーク接続される、帯域調整コントローラ。
【請求項１３】
前記第1ネットワークシステムの前記チャネルの前記帯域、および前記ガード帯域に隣接する前記第2ネットワークシステムの前記チャネルの前記帯域を調整するように構成される前記帯域調整ユニットは、
前記ガード帯域の前記帯域更新値を導出して次の関係式
【数２３】
2016524851.tif 000195
、を満たすようにさらに構成され、式中、
【数２４】
2016524851.tif 000196
は、前記ガード帯域の前記帯域更新値であり、
【数２５】
2016524851.tif 000197
は、前記第1ネットワークシステムの前記チャネルの前記帯域更新値であり、
【数２６】
2016524851.tif 000198
は、前記第2ネットワークシステムの前記チャネルの前記帯域更新値であり、
【数２７】
2016524851.tif 000199
は、
【数２８】
2016524851.tif 000200
および
【数２９】
2016524851.tif 000201
のうちのいずれか一方の増加とともに増加する関数である、請求項12に記載の帯域調整コントローラ。
【請求項１４】
前記第1ネットワークシステムの前記チャネルの前記帯域、および前記ガード帯域に隣接する前記第2ネットワークシステムの前記チャネルの前記帯域を調整するように構成される前記帯域調整ユニットは、
前記第1ネットワークシステムの前記チャネルの前記帯域更新値、および前記第2ネットワークシステムの前記チャネルの前記帯域更新値を導出して、次の条件式
【数３０】
2016524851.tif 000202
および
【数３１】
2016524851.tif 000203
を満たすようにさらに構成され、
式中、
【数３２】
2016524851.tif 000204
は、前記第1ネットワークシステムの前記チャネルの1帯域幅単位であり、
【数３３】
2016524851.tif 000205
は、前記第1ネットワークシステムの前記チャネルの初期帯域であり、nおよびn’はそれぞれ自然数であり、
【数３４】
2016524851.tif 000206
は、前記第1ネットワークシステムの前記チャネルの第1側の部分帯域調整幅であり、前記第1側は、前記第2ネットワークシステムに近い方の前記第1ネットワークシステム側であり、
【数３５】
2016524851.tif 000207
は、前記第1ネットワークシステムの前記チャネルの第2側の部分帯域調整幅であり、前記第2側は、前記第1側の反対側の前記第1ネットワークシステムの側であり、
【数３６】
2016524851.tif 000208
は、前記第2ネットワークシステムの前記チャネルの1帯域幅単位であり、
【数３７】
2016524851.tif 000209
は、前記第2ネットワークシステムの前記チャネルの初期帯域であり、kおよびk’はそれぞれ自然数であり、
【数３８】
2016524851.tif 000210
は、前記第2ネットワークシステムの前記チャネルの帯域調整幅である、請求項12または13に記載の帯域調整コントローラ。
【請求項１５】
前記第1ネットワークシステムの前記チャネルの前記帯域、および前記ガード帯域に隣接する前記第2ネットワークシステムの前記チャネルの前記帯域を調整するように構成される前記帯域調整ユニットは、
【数３９】
2016524851.tif 000211
を、
【数４０】
2016524851.tif 000212
および
【数４１】
2016524851.tif 000213
の減少とともに減少する関数として導出するように構成される、請求項12に記載の帯域調整コントローラ。
【請求項１６】
前記第1ネットワークシステムの前記チャネル、および／または前記第2ネットワークシステムの前記チャネルを検出して、前記第1ネットワークシステムの前記チャネルのビジー率、および／または前記第2ネットワークシステムの前記チャネルのビジー率を求めるように構成される、チャネル状態検出ユニットをさらに備え、
前記帯域調整ユニットは、前記第1ネットワークシステムの前記チャネルの前記帯域、および前記ガード帯域に隣接する前記第2ネットワークシステムの前記チャネルの前記帯域を、前記第1ネットワークシステムのユーザ帯域変更要求、または前記第2ネットワークシステムのユーザ帯域変更要求、または前記第1ネットワークシステムおよび前記第2ネットワークシステムのユーザ帯域変更要求に基づいて調整し、あるいは、
前記第1ネットワークシステムの前記チャネルの前記帯域、および前記ガード帯域に隣接する前記第2ネットワークシステムの前記チャネルの前記帯域を、前記第1ネットワークシステムの前記チャネルの前記ビジー率、または前記第2ネットワークシステムの前記チャネルの前記ビジー率、または前記第1ネットワークシステムおよび前記第2ネットワークシステムの前記チャネルの前記ビジー率に基づいて調整し、あるいは、
前記第1ネットワークシステムの前記チャネルの前記帯域、および前記ガード帯域に隣接する前記第2ネットワークシステムの前記チャネルの前記帯域を、
前記第1ネットワークシステムのユーザ帯域変更要求、もしくは前記第2ネットワークシステムのユーザ帯域変更要求、もしくは前記第1ネットワークシステムおよび前記第2ネットワークシステムのユーザ帯域変更要求、および
前記第1ネットワークシステムの前記チャネルの前記ビジー率、もしくは前記第2ネットワークシステムの前記チャネルの前記ビジー率、もしくは前記第1ネットワークシステムおよび前記第2ネットワークシステムの前記チャネルの前記ビジー率
に基づいて調整するように構成される、請求項12または13に記載の帯域調整コントローラ。
【手続補正１０】
【補正対象書類名】図面
【補正対象項目名】図９
【補正方法】変更
【補正の内容】
【図９】
2016524851.tif 000214
【国際調査報告】
2016524851.tif 000215
2016524851.tif 000216
2016524851.tif 000217
2016524851.tif 000218